(57)【要約】  本発明は、改善された機械的な梃子の作用をもたらす傾斜クレビスを用いる伸長アーム装置（１００）を提供する。クレビス（１４６）は、装置（１００）のエンドキャップ（１１８）の軸に対して傾斜した経路に沿って、位置調節され、これによって、性能を著しく高め、装置（１００）の大きさを小型化することができる。装置（１００）の上下溝部材（１０４，１０６）の幅は、第一の幅（Ｗ1）から第二の幅（Ｗ2）に漸減し、重量のあるモニタ、ディスプレイ、または他のユーザ機器（３０２）に用いられる滑らかな形状の機能的な装置（１００）をもたらす。前腕伸長部材（１１０）が装置（１００）のエンドキャップ（１０８）に取り付けられると、ワッシャー（２５８）とシャフト（２６４）を互いに噛み合せる構成によって、前腕伸長部材とエンドキャップの接続が作動中に弛むことが防止される。
2008542654.tif 000002
【特許請求の範囲】
【請求項１】
取付具に接続される第一の部分、前記第一の部分に接続された第二の部分、並びに前記第一の部分および前記第二の部分の片方または両方に接続されたクレビス受入れ部材を有し、長手軸を有する第一のエンドキャップと、
第一の部分および第二の部分を有する第二のエンドキャップであって、第二のエンドキャップの前記第一の部分がユーザ機器を支持し、第二のエンドキャップの前記第二の部分が前記第二のエンドキャップの前記第一の部分に接続される、第二のエンドキャップと、
第一の端部および第二の端部を有する第一の溝部材であって、第一の溝部材の前記第一の端部が前記第一のエンドキャップの前記第二の部分に接続され、第一の溝部材の前記第二の端部が前記第二のエンドキャップの前記第二の部分に接続される、第一の溝部材と、
第一の端部および第二の端部を有する第二の溝部材であって、第二の溝部材の前記第一の端部が前記第一のエンドキャップの前記第二の部分に接続され、第二の溝部材の前記第二の端部が前記第二のエンドキャップの前記第二の部分に接続される、第二の溝部材と、
クレビスを備えるクレビスアセンブリであって、前記クレビスが、前記第一のエンドキャップの前記クレビス受入れ部材、および前記第一の溝部材に連結されたスプリング部材に作動可能に係合する、クレビスアセンブリとを備え、
前記クレビスが、前記スプリング部材の圧縮状態を変化させるために、前記クレビス受入れ部材に沿って、前記第一のエンドキャップの前記長手軸に対する所定の角度で調整可能に構成されていることを特徴とする調整可能な支持装置。
【請求項２】
前記クレビスアセンブリが、前記クレビスにねじ係合するロッドをさらに備え、前記ロッドが、前記第一のエンドキャップの前記長手軸に対して前記所定の角度で配置されていることを特徴とする請求項１に記載の調整可能な支持装置。
【請求項３】
前記所定の角度が、１０°〜８０°の範囲内にあることを特徴とする請求項１に記載の調整可能な支持装置。
【請求項４】
前記所定の角度が、４５°〜７０°の範囲内にあることを特徴とする請求項１に記載の調整可能な支持装置。
【請求項５】
前記第一のエンドキャップが、前記第一の部分と前記第二の部分とを接続するハウジングを備え、前記クレビス受入れ部材が、前記ハウジングの内部の側壁部に沿って配置され、前記クレビス受入れ部材が、前記第二の部分から前記第一の部分に向かって前記所定の角度で傾斜する表面部分を有していることを特徴とする請求項１に記載の調整可能な支持装置。
【請求項６】
第一の長さを有する第一の締付け具と、各々が前記第一の長さよりも短い第二の長さを有する一対の第二の締付け具とをさらに備えており、前記第一の溝部材の第一の端部が、前記第一の締付け具によって前記第一のエンドキャップの第二の部分に接続され、前記第二の溝部材の第一の端部が、前記一対の第二の締付け具によって前記第一のエンドキャップの第二の部分に接続されていることを特徴とする請求項１に記載の調整可能な支持装置。
【請求項７】
前記第一のエンドキャップが、前記第一の部分と前記第二の部分とを接続するハウジングを備え、前記ハウジングが、前記一対の第二の締付け具を支持する一対の補強部材を備えていることを特徴とする請求項６に記載の調整可能な支持装置。
【請求項８】
少なくとも1つのエンドキャップカバーをさらに備えており、前記第一のエンドキャップが、前記第一の部分および前記第二の部分に接続されたフランジ部材をさらに備え、前記少なくとも一つのエンドキャップカバーが、前記フランジ部材と隣接して配置され、前記第一のエンドキャップの一部を覆うように構成されていることを特徴とする請求項１に記載の調整可能な支持装置。
【請求項９】
前記第一の溝部材が、前記スプリング部材を前記第一の溝部材に固定するように傾斜した受入れ部材を有する一体成形コネクタをさらに備えていることを特徴とする請求項１に記載の調整可能な支持装置。
【請求項１０】
前記第一の溝部材に接続可能な保持カバーをさらに備えており、前記スプリング材が、前記保持カバーと前記傾斜した受入れ部材との間で、前記第一の溝部材に固定されていることを特徴とする請求項９に記載の調整可能な支持装置。
【請求項１１】
前記第一の溝部材が、補強構造を前記第一の溝部材の内部にさらに備えていることを特徴とする請求項１に記載の調整可能な支持装置。
【請求項１２】
第一の端部、第二の端部、および前記第一の端部から前記第二の端部に延びる長手軸を有する第一のエンドキャップであって、前記第二の端部が前記調整可能な支持装置を表面部分に取付ける手段を有する、第一のエンドキャップと、
ユーザ機器を支持する手段を有する第二のエンドキャップと、
第一の端部および第二の端部を有する第一の溝部材であって、第一の溝部材の前記第一の端部が前記第一のエンドキャップの前記第一の端部に接続され、第一の溝部材の前記第二の端部が前記第二のエンドキャップに接続される、第一の溝部材と、
第一の端部および第二の端部を有する第二の溝部材であって、第二の溝部材の前記第一の端部が前記第一のエンドキャップの前記第一の端部に接続され、第二の溝部材の前記第二の端部が、前記第二のエンドキャップに接続され、前記第一の溝部材および第二の溝部材がスプリング機構を収容する空洞を画成するように構成される、第二の溝部材と、
前記スプリング機構を調整する手段であって、前記第一のエンドキャップの前記長手軸に対して所定の角度の経路に沿って移動可能に構成される手段とを備えていることを特徴とする調整可能な支持装置。
【請求項１３】
機器を伸縮機構によって調整可能に支持する調整アセンブリにおいて、
長手軸、および前記長手軸に対して一定の角度で配置されたトラックを有するハウジングと、
第一の端および第二の端を有するクレビスであって、前記第一の端部が前記トラックに係合する表面部分を有し、前記第二の端部が前記伸縮機構の第一の端部に接続する開口部を有するクレビスと、
前記ハウジングに接続された第一の端部、および前記伸縮機構の第二の端部に接続された第二の端部を有する溝部材とを備え、
前記クレビスが、前記伸縮機構の位置決めを変化させるために、前記トラックに沿って調整可能に構成されていることを特徴とする調整アセンブリ。
【請求項１４】
前記トラックに沿って前記クレビスをネジ調整するロッドであって、前記ロッドの一端に位置するヘッド部、前記ヘッド部から離れた側の先端部、並びに前記ヘッド部および前記先端部の間に配置されたネジ部を有するロッドと、
前記ロッドを前記ハウジングの縁部分に固定する保持板であって、前記ハウジングの前記縁部分および前記保持板が前記ロッドの前記先端部を受入れる差込孔を画成する嵌合凹部を有する、保持板とをさらに備えていることを特徴とする請求項１３に記載の調整アセンブリ。
【請求項１５】
前記クレビスが、実質的に互いに平行である底面部および上面部を備え、前記クレビスの前記開口部が、前記底面部と前記上面部との間の中間の高さに配置されていることを特徴とする請求項１３に記載の調整アセンブリ。
【請求項１６】
前記クレビスが、実質的に互いに平行である底面部および上面部を備え、前記クレビスの前記開口部は、前記底面部と前記上面部との間の中間の上方に配置されていることを特徴とする請求項１３に記載の調整アセンブリ。
【請求項１７】
前記クレビスの前記第二の端部が、上方に傾斜していることを特徴とする請求項１６に記載の調整アセンブリ。
【請求項１８】
前記クレビスは、実質的に互いに平行である底面部および上面部を備え、前記クレビスの前記開口部が、前記底面部と前記上面部との間の中間の下方に配置されていることを特徴とする請求項１３に記載の調整アセンブリ。
【請求項１９】
前記クレビスの前記第二の端部が、下方に傾斜していることを特徴とする請求項１８に記載の調整アセンブリ。
【請求項２０】
前記クレビスの前記第二の端部が、一対の互いに離間した締付け具を備え、前記開口部が、一対の一列に並んだ開口部分から構成され、前記一対の開口部分の第一の開口部分が、前記一対の締付け具の第一の締付け具に配置され、前記一対の開口部分の第二の開口部分が、前記一対の締付け具の第二の締付け具に配置され、前記クレビスが、前記クレビスを前記トラックに沿ってネジ調整する差込孔を備え、前記トラックの角度が、前記長手軸に対する第一の角度であり、前記差込孔が、前記長手軸に対する第二の角度で配置されていることを特徴とする請求項１３に記載の調整アセンブリ。
【請求項２１】
前記第一の角度および第二の角度が、実質的に等しくなっていることを特徴とする請求項２０の調整アセンブリ。
【請求項２２】
第一の端部、前記第一の端部の反対側に位置する第二の端部、および前記第一の端部から前記第二の端部まで延在する一対の側壁部を有する第一の溝部材であって、第一の溝部材の前記一対の側壁部の幅が前記第一の端部の第一の幅から前記第二の端部の第二の幅までで漸減する、第一の溝部材と、
第一の端部、前記第一の端部の反対側に位置する第二の端部、および前記第一の端部から前記第二の端部へ延在する一対の側壁部を有する第二の溝部材であって、第二の溝部材の前記一対の側壁部の幅が、前記第一の端部の第三の幅から前記第二の端部の第四の幅までで漸減し、前記第一の溝部材の前記側壁部および第二の溝部材の前記側壁部が、それらの間に、スプリング部材を少なくとも部分的に受入れるように構成される、第二の溝部材と、
第一の部分および第二の部分を有する第一のエンドキャップであって、第一のエンドキャップの前記第一の部分が、前記第一の溝部材の前記第一の端部の周囲に連結されると共に、前記第二の溝部材の前記第一の端部の周囲に連結される、第一のエンドキャップと、
第一の部分および第二の部分を有する第二のエンドキャップであって、第二のエンドキャップの前記第一の部分が、前記第一の溝部材の前記第二の端部の周囲に連結されると共に、前記第二の溝部材の前記第二の端部の周囲に連結される、第二のエンドキャップとを備えていることを特徴とする調整可能な伸長アーム。
【請求項２３】
前記第三の幅が前記第一の幅と実質的に等しく、前記第四の幅が前記第二の幅と実質的に等しくなっていることを特徴とする請求項２２に記載の調整可能な伸長アーム。
【請求項２４】
前記第一の溝部材の前記側壁部および第二の溝部材の前記側壁部での幅の漸減が、前記第一の端部から前記第二の端部に向かって実質的に均一で、かつ連続するように形成されていることを特徴とする請求項２２に記載の調整可能な伸長アーム。
【請求項２５】
前記第二の溝部材の前記側壁部が、各々、第一の部分および第二の部分を有する段付き側壁部から構成され、前記各段付き側壁部の前記第一の部分が、前記第二の部分に対して凹んでいることを特徴とする請求項２２に記載の調整可能な伸長アーム。
【請求項２６】
前記第一の溝部材が、前記段付き側壁部の前記第一の部分の外面部分と作動可能に連通する内面部分を有する一対の平坦な側壁部を備えていることを特徴とする請求項２５に記載の調整可能な伸長アーム。
【請求項２７】
前記調整可能な伸長アームの調整中に、前記平坦な側壁部が前記段付き側壁部に対して移動可能となるように、前記平坦な側壁部の前記内面部分が、前記段付き側壁部の前記第一の部分の前記外面部分から離間するように配置されていることを特徴とする請求項２６に記載の調整可能な伸長アーム。
【請求項２８】
前記第二の溝部材が、前記第一のエンドキャップの近くに開口領域を有するカバーを備え、前記スプリング部材が、前記開口領域内に少なくとも部分的に突出するように構成されていることを特徴とする請求項２２に記載の調整可能な伸長アーム。
【請求項２９】
ユーザ機器を支持する伸長アーム装置において、
取付具に接続される第一の部分、および前記第一の部分に接続された第二の部分を有する第一のエンドキャップと、
第一の部分および第二の部分を有する第二のエンドキャップと、
第一の端部および第二の端部を有する第一の溝部材であって、第一の溝部材の前記第一の端部が、前記第一のエンドキャップの前記第二の部分に接続され、第一の溝部材の前記第二の部分が、前記第二のエンドキャップの前記第一の部分に接続される、第一の溝部材と、
第一の端部および第二の端部を有する第二の溝部材であって、第二の溝部材の前記第一の端部が、前記第一のエンドキャップの前記第二の部分に接続され、第二の溝部材の前記第二の端部が、前記２のエンドキャップの前記第一の部分に接続され、前記第一の溝部材および第二の溝部材が、スプリング装置の貯蔵部を画成するように構成される、第二の溝部材と、
対弛み装置および前腕伸長部材を備える前腕アセンブリであって、前記前腕伸長部材が、前記第二のエンドキャップの前記第二の部分に操作可能に連結された第一の端部、および前記ユーザ機器を支持する第二の端部を有する、前腕アセンブリとを備え、
前記対弛み装置が、前記第二のエンドキャップに対する前記前腕伸長部材の回転を可能とし、かつ回転中に前記前腕伸長部材と前記第二のエンドキャップとの間の弛みを防止するように構成されていることを特徴とする伸長アーム装置。
【請求項３０】
前記第二のエンドキャップの前記第二の部分が、開口部分を有する差込部を備え、
前記前腕伸長部材の前記第一の端部が、シャフトと、前記シャフト内に配置された少なくとも１つの凹部とを備え、前記シャフトが、前記第二のエンドキャップの前記第二の部分の前記開口部分内に少なくとも部分的に嵌め込まれ、
前記前腕アセンブリが、ワッシャーおよび締付け具をさらに備え、前記ワッシャーが、前記ワッシャーを前記シャフトに接続するために、前記少なくとも１つの凹部内に嵌め込まれるように形成された少なくとも一つの突起部を有し、前記締付け具が、前記第二のエンドキャップの前記第二の部分、前記ワッシャー、および前記シャフトを、前記シャフトが前記第二のエンドキャップの前記第二の部分に対して回転可能となるように、一緒に固定していることを特徴とする請求項２９に記載の伸長アーム装置。
【請求項３１】
前記締付け具が、前記シャフトにねじ止めされ、前記ワッシャーと前記シャフトとの接続によって、前記前腕伸長部材の作動中に、前記締付け具が弛むことが防止されるように構成されていることを特徴とする請求項３０に記載の伸長アーム装置。
【請求項３２】
前記前腕アセンブリが、前記シャフトを少なくとも部分的に取り囲むように前記差込部の前記開口部分に配置されたブッシュをさらに備えていることを特徴とする請求項３０に記載の伸長アーム装置。
【請求項３３】
前記前腕アセンブリが、前記前腕伸長部材の外面部分と前記差込部の外面部分との間に配置される外側ワッシャーをさらに備えていることを特徴とする請求項３０に記載の伸長アーム装置。
【請求項３４】
前記少なくとも１つの凹部が、前記シャフトの外面部分に沿って配置された一対の凹部分から構成され、前記ワッシャーの前記少なくとも1つの突起部が、前記一対の凹部内に嵌め込まれるように形成された一対の突起部から構成されていることを特徴とする請求項３０に記載の伸長アーム装置。
【請求項３５】
前記第一の溝部材の幅が、前記第一の端部の第一の幅から前記第二の端部の第二の幅までで漸減し、
前記第二の溝部材の幅が、前記第一の端部の第三の幅から前記第二の端部の第四の幅までで漸減し、
前記前腕伸長部材の幅が、前記第二のエンドキャップに隣接する第一の端部の第五の幅から前記第二のエンドキャップから離れた側の第二の端部の第六の幅までで漸減するように形成されていることを特徴とする請求項２９に記載の伸長アーム装置。
【請求項３６】
前記第三の幅は、前記第一の幅と実質的に等しく、前記第四の幅は、前記第二幅と実質的に等しくなっていることを特徴とする請求項３５に記載の伸長アーム装置。
【請求項３７】
ユーザ機器を支持する伸長アーム装置において、
表面部分に取り付けられる手段を有する第一のエンドキャップと、
第二のエンドキャップと、
第一の端部および第二の端部を有する第一の溝部材であって、第一の溝部材の前記第一の端部が、前記第一のエンドキャップに接続され、第一の溝部材の前記第二の端部が、前記第二のエンドキャップに接続される、第一の溝部材と、
第一の端部および第二の端部を有する第二の溝部材であって、第二の溝部材の前記第一の端部が、前記第一のエンドキャップに接続され、第二の溝部材の前記第二の端部が、前記第二のエンドキャップに接続される、第二の溝部材と、
第一の端部および第二の端部を有する前腕伸長部材であって、前腕伸長部材の前記第一の端部が、前記第二のエンドキャップに操作可能に連結され、前腕伸長部材の前記第二の端部が、前記ユーザ機器に操作可能に連結される、前腕伸長部材と、
前記前腕伸長部材、および前記第二のエンドキャップの間の弛みを防止する手段とを備えていることを特徴とする伸長アーム装置。
【請求項３８】
ユーザ機器を位置決めする伸長アーム装置において、
前記伸長アーム装置を支持体に固定する第一のハウジングと、
前記第一のハウジングから離れた側の第二のハウジングであって、差込部を備える第二のハウジングと、
前記第一のハウジング、および前記第二のハウジングを接続する溝部材アセンブリであって、前記伸長アーム装置の位置決めを変化させるように調整可能である溝部材アセンブリと、
前記ユーザ機器に接続可能な支持装置であって、その表面部分に第一の接続部材を備える支持装置と、
前記支持装置が前記第二のハウジングに接続させる接続アセンブリであって、前記接続アセンブリが、ワッシャーおよび締付け具を備え、前記ワッシャーが、貫通孔および第一の表面部分に第二の接続部材を有し、前記第二の接続部材が、前記支持装置の前記第一の接続部材に固定され、前記締付け具が、前記ワッシャーの前記開口部および前記第二のハウジングの前記差込部内に挿入され、前記支持装置とねじ係合する、接続アセンブリとを備え、
前記支持装置が、前記第二のハウジングを中心として回転可能であり、前記第一の接続部材および前記第二の接続部材によって、前記支持装置が前記第二のハウジングに対して弛むことが防止されるように構成されていることを特徴とする伸長アーム装置。
【請求項３９】
前記支持装置が、前記第一の接続部材を有するシャフトを備え、前記第二のハウジングの前記差込部が、リップ部分を備え、前記伸長アーム装置が、前記シャフトの周囲に配置されたブッシュをさらに備え、前記ブッシュが、前記リップ部分と前記ワッシャーとの間で前記第二のハウジングの前記差込部内に保持されていることを特徴とする請求項３８に記載の伸長アーム装置。
【請求項４０】
前記支持装置が、前腕伸長部材から構成されていることを特徴とする請求項３８に記載の伸長アーム装置。
【請求項４１】
前記支持装置が、チルト装置から構成されていることを特徴とする請求項３８に記載の伸長アーム装置。
【発明の詳細な説明】
【技術分野】
【０００１】
［関連出願の相互参照］
本出願は、２００５年５月３１日に出願された米国特許出願第１１／１４１，３４８号および２００５年５月３１日に出願された米国特許出願第１１／１４１，４２５号の出願日の利得を主張するものであり、これらの開示内容は、参照することによって、それらの全体がここに明示的に含まれるものとする。
【０００２】
［発明の分野］
本発明は、電子機器および他のユーザ機器を接続するのに用いられる装置に関する。さらに詳細には、本発明は、フラットパネルディスプレイ、キーボード、などの電子機器が取り付けられるコンパクトな汎用伸長アームに関する。
【背景技術】
【０００３】
過去に、人々は、ビデオモニタおよび他の電子機器を机上、卓上、またはパーソナルコンピュータまたはワークステーションのような他の機器上に載せていた。これらの形態の１つの欠点は、機器の利用可能な作業空間が狭くなることである。他の欠点は、機器を所望の位置に配置することができないことである。さらに他の欠点は、モニタおよびキーボードのような機器の望ましくない配置によって、眼精疲労、頸疲労、および／または累積性外傷疾患、例えば、毛根管症候群が生じ得ることである。
【０００４】
これらの障害を克服するために、種々の解決策が提供されてきた。例えば、１つの解決策では、モニタスタンドまたはプリンタスタンドが、機器を机上の他の機器の上方に持上げる。この解決策は、作業空間を広くするが、機器を望ましくない位置に配置することが多い。他の解決策では、モニタを支持する機械的な伸長アームが用いられる。伸長アームは、作業空間を広くし、かつユーザが機器を所望の位置に配置することを可能にする。このような１つの伸長アームが、「電子機器を取り付けるアーム装置」という表題の米国特許第６，４７８，２７４号明細書に図示され、かつ記述されている。この開示内容は、参照することによって、その全体がここに含まれるものとする。他の形式の伸長アームが、「ケーブル処理システムを有する、電子機器を取り付けるアーム装置」という表題の米国特許第６，４０９，１３４号明細書に図示され、かつ記述されている。この開示内容は、参照することによって、その全体がここに含まれるものとする。
【０００５】
伸長アームによって得られる作動の自由度を超えて、さらに付加的な作動の自由度が得られると望ましいことが多い。チルト装置を用いることによって、この目標を達成することができる。チルト装置は、伸長アームと機器との間に配置され、機器が１つまたは複数の軸を中心として回転することを可能にする。このような１つのチルト装置が、「電子機器を位置決めするチルタ」という表題の米国特許第６，５０５，９８８号明細書に図示され、かつ記述されている。この開示内容は、参照することによって、その全体がここに含まれるものとする。
【０００６】
図１〜図７は、電子機器を取り付ける周知の伸長アーム１０を示している。図１に示されるように、伸長アーム１０の主な要素は、第一のエンドキャップ１２、上溝部材１４、下溝部材１６、第二のエンドキャップ１８、および前腕伸長部材２０である。第一のエンドキャップ１２は、エンドキャップシャフト２２を有している。エンドキャップシャフト２２は、剛性支持取付具(図示せず）、例えば、エンドキャップシャフト２２を受入れる寸法を有するオリフィス、またはエンドキャップシャフト２２の溝部と係合するような形状および寸法を有するトラックに枢動可能に取り付けられる。シャフト２２は、軸２４を中心として回転可能である。第一のエンドキャップ１２は、ピン２６によって、上溝部材１４と下溝部材１６の両方に枢動可能に連結される。ピン２６は、上溝部材および下溝部材内の差込孔を貫通し、第一のエンドキャップ１２の幅にわたって延びる長さを有している。図から分かるように、ピン２６は、軸２４と平行の線２８に沿って垂直に並んで配置される。上溝部材１４および下溝部材１６の他端は、ピン２６’によって、第二のエンドキャップ１８に枢動可能に連結される。前腕伸長部材２０は、第二のエンドキャップ１８に固定して取り付けられた中空環状部材であるとよいエンドキャップシャフト２２’によって、第二のエンドキャップ１８に枢動可能に連結される。前腕伸長部材２０は、チルタ、プラットフォーム、または他の装置のような取付け装置（図示せず）のシャフト３２を受容する垂直に配向された貫通孔３０を有している。前腕伸長部材２０は、取り付けられた機器のケーブル３６が前腕伸長部材２０を貫通することができるように、中空の内部３４を備えている。ケーブル３６は、第二のエンドキャップ１８の中空環状部材を貫通することができる。ケーブル３６は、下溝部材１６に取り付けられたシース（ｓｈｅａｔｈ）またはカバー３８を貫通することもできる。中空内部３４および／またはシース３８によって、ケーブル３６は、外部から見えない。
【０００７】
上溝部材１４および下溝部材１６を第一のエンドキャップ１２および第二のエンドキャップ１８と組み合わせることによって、前腕伸長部材２０に連結された機器を所望の高さに昇降させることができる調整可能な平行四辺形が得られる。平行四辺形は、ガススプリング４０のような伸縮装置を用いることによって、その位置を維持する。ガススプリング４０は、以下にさらに詳細に説明するように、第一のエンドキャップ１２および上溝部材１４に枢動可能かつ調整可能に取り付けられる。一般的に、ガススプリング４０、例えば、ガス式流体シリンダーおよび後退可能なピストンロッドは、ガススプリングの設計抵抗を超える上向き力または下向き力が第二のエンドキャップ１８に加えられるまで、一定長さを有するように寸法決めされる。従って、ガススプリング４０は、第二のエンドキャップ１８に加えられた力が機器の重量のみであるとき、平行四辺形の位置を維持するが、ユーザが前腕伸長部材２０に連結された機器を上方または下方に押すと、平行四辺形を調整することができる。
【０００８】
図２は、第一のエンドキャップ１２の側面図を示している。第一のエンドキャップ１２は、その第一の端部４２に配置されたエンドキャップシャフト２２を有している。２つの部品を剛性的に接続するために、エンドキャップシャフト２２は、典型的なものでは、鋼から機械加工によって作製され、第一のエンドキャップ１２の鋳造プロセス中に、第一の端部４２内に挿入される。第一のエンドキャップ１２に挿入されるエンドキャップシャフト２２は、その端部に孔４４を有している。第一のエンドキャップ１２は、典型的なものでは、鋳造アルミニウムから作製される。また、第一のエンドキャップ１２は、貫通孔４８を有する第二の端部４６を有している。第一のエンドキャップ１２内には、ネジ付ロッド５０が配置されている。ネジ付ロッド５０の第一の端部５２が、エンドキャップシャフト２２の基部の孔４４内に挿入される。ネジ付ロッド５０の第二の端部５４は、孔４８と一列に並び、クリップ５６によって適所に保持される。クリップ５６は、ネジ５８によって、第一のエンドキャップ１２の内面部分に固定される。ネジ付ロッド５０は、線２８と平行で、典型的なものでは、軸２４に沿って配置される。
【０００９】
ネジ付ロッド５０にネジ止めされているは、クレビス（ｃｌｅｖｉｓ）６０である。図３は、中心にタップ孔６２を備えるクレビス６０の側面図である。タップ孔６２には、図２に示されるように、ネジ付ロッド５０が嵌め込まれる。クレビス６０の第一の端部に位置しているのは、一対の締付け部材６４，６６である。ガススプリング４０の一端が、これらの締付け部材６４，６６に固定される。クレビス６０の第二の端部６８は、第一のエンドキャップ１２内に一体成形されたトラック７０と摺動可能に係合するように構成される（図２参照）。ネジ付ロッド５０の第二の端部５４は、その第二の端部５４が孔４８と適切に一列に配置されたときに孔４８内に挿入される六角キーと係合するように構成される。六角キーは、ネジ付ロッド５０をその回転軸に沿って回転させるために、用いられる。ネジ付ロッド５０がその回転軸に沿って回転されると、クレビス６０は、六角キーが回転される方向に対応する方向において、ネジ付ロッド５０の長さに沿って移動する。クレビス６０のこの作動によって、ガススプリング４０を調整することができる。具体的には、クレビス６０は、線２８と平行の経路において、トラック７０に沿って上下に移動する。
【００１０】
図４Ａ，図４Ｂは、溝底部７２を備える上溝部材１４を示している。この溝底部７２から、２つの溝側壁部７４が延在している。溝底部７２および側壁部７４は、典型的なものでは、上溝部１４に所望の構造剛性をもたらすために、１３ゲージ鋼板から打抜加工によって得られる。溝底部７２の各端部において、ピン２６または２６’を受入れる貫通孔７９を有する冷間圧延鋼製ローラ７８を収容するために、側壁部７４の半円領域７６が切り抜かれている。ローラ７８は、半円状に切り抜かれた領域７６の縁部分および溝底部７２の端に沿って行なわれるＭＩＧ溶接によって、上溝部材１４に強固に取り付けられる。代替的に、ローラ７８は、製造中に、上溝部材１４の外部に一体鋳造されてもよい。
【００１１】
加えて、上溝部材１４は、溝底部７２の内面部分に溶接された補強材８０を備えている。上溝部材１４に付加的な構造的剛性をもたらす以外に、補強材８０は、その一端に孔を有し、ネジ付ボールスタッド８２が、その孔内に配置され、ナット８４によって適所に固定される。ボールスタッド８２は、ガススプリング４０の一端を受けるように構成され、かつ寸法決めされる。上溝部材１４の長手方向に沿った中心線８５が、図４Ｂに示されている。図４Ｃ，図４Ｄは、代替的な上溝部材１４’を示している。上溝部材１４’は、任意選択的に、内部補強物を備えるように構成される。これは、特に、重量のある電子機器、例えば、ＣＲＴ式の大きいコンピュータモニタを伸長アームに取付けるときに、有利である。上溝部材１４’内に、複数の交差リブ８６および傾斜して配置された二次リブ８７を備えるリブアセンブリが設けられている。一例では、交差リブ８６は、側壁部７４と直交して配置され、二次リブ８７は、三角形状の内部支持構造体を形成するために、傾斜して配置される。交差リブ８６および二次リブ８７は、上溝部材１４’内に挿入可能な一体部材として形成されるとよい。交差リブ８６および二次リブ８７は、上溝部材１４’の形成中に、一体鋳造されてもよい。
【００１２】
図５Ａ，図５Ｂは、溝底部８８を備える下溝部材１６を示している。溝底部８８から、２つの溝側壁部９０が延在している。上溝部材１４と同じように、溝底部８８および側壁部９０は、典型的なものでは、下溝部材１６に所望の構造的剛性を与えるために、比較的重い１３ゲージ鋼板から打抜加工によって得られる。溝底部８８の他端では、側壁部９０の半円領域９１が、ピン２６または２６’を受入れる貫通孔９３を有する冷間圧延鋼製のローラ９２を収容するために、切り抜かれる。ローラ９２は、半円状に切り抜かれた領域９１および溝底部８８の端部に沿って行なわれるＭＩＧ溶接によって、下溝部材１６に強固に取り付けられる。代替的に、ローラ９２は、製造中に、下溝部材１６の外部と一体鋳造されてもよい。下溝部材１６の長手方向に沿った中心線９４が、図５Ｂに示されている。
【００１３】
図６は、図１の第二のエンドキャップ１８の変更例を示している。第一のエンドキャップ１２とは異なって、第二のエンドキャップ１８は、ガススプリング４０への取付け用のクレビスアセンブリを有していない。図６に示される代替的な第二のエンドキャップ１８は、図１に示される前腕伸長部材２０を受入れるエンドキャップシャフト２２’を省略している。その代わり、エンドキャップ１８は、前腕伸長部材２０のシャフトを受入れる孔９５を一端に備えることができる。エンドキャップ１８は、エンドキャップ１８を中心とする前腕伸長部材２０の回転を防止するために、止めネジ（図示せず）を受入れる孔９６を備えていてもよい。
【００１４】
図７Ａは、中心アーム３１と、中心アーム３１に取り付けられた第一の端部３３および第二の端部３５と、を有する前腕伸長部材２０を示している。第一の端部３３は、第二のエンドキャップ１８のエンドキャップ２２’と接続するための開口部３７を備えている。第二の端部３５は、機器取付具のシャフトを受入れる開口部３０を備えている。内部３４にアクセスするために、開口部３９が設けられている。線Ａ−Ａに沿った図７Ｂの断面図に示されるように、領域４１を介して、第一の端部３３の開口部３７にアクセスすることができ、これによって、ケーブル３６を見えなくすることができる。
【発明の開示】
【発明が解決しようとする課題】
【００１５】
図１〜図７に示されるような周知の伸長アームは、良好に操作可能であるが、滑らかな形状を有するよりコンパクトな構造を得るのに十分に適していない。いくつかの部品の大きさを小型化する場合、もしその小型化が正しくなされないと、機器性能に悪影響を及ぼすことがある。一例として、上溝部材および下溝部材の寸法を減少させることによって、伸長アームを小型化することができる。但し、このように寸法を修正する場合、ガススプリングの大きさを小さくする必要がある。しかし、残念なことに、もし伸長アームの大きさを小さくすると、伸長アームの全体的な構造を変更させないと、より小さいガススプリングは、典型的なものでは、より大きな機器の負荷に対処することができず、従って、大きなモニタまたは大きな他の機器を支持することができない。加えて、部品間の一部の接続、例えば、前腕伸長部材２０と第二のエンドキャップ１８との間の接続が、例えば、前腕伸長部材２０を繰り返し調整または回転させた後、弛むことがある。接続が弛むと、危ない状態が生じることがある。従って、これらの問題および他の問題に対処する新規の伸長アームの設計が、必要とされている。
【課題を解決するための手段】
【００１６】
本発明の実施形態によれば、調整可能な支持装置が提供される。本装置は、第一のエンドキャップおよび第二のエンドキャップと、第一の溝部材および第二の溝部材と、クレビスアセンブリと、を備える。第一のエンドキャップは、取付具に接続される第一の部分と、第一の部分に接続された第二の部分と、第一の部分および第二の部分の片方または両方に接続されたクレビス受入れ部材と、を有する。第一のエンドキャップは、長軸も有する。第二のエンドキャップは、第一の部分および第二の部分を有する。第二のエンドキャップの第一の部分は、ユーザ機器を支持し、第二の部分は、第二のエンドキャップの第一の部分に接続される。第一の溝部材は、第一の端部および第二の端部を有する。第一の溝部材の第一の端部は、第一のエンドキャップの第二の部分に接続される。第一の溝部材の第二の端部は、第二のエンドキャップの第二の部分に接続される。第二の溝部材は、第一の端部および第二の端部を有する。第二の溝部材の第一の端部は、第一のエンドキャップの第二の部分に接続される。第二の溝部材の第二の端部は、第二のエンドキャップの第二の部分に接続される。クレビスアセンブリは、クレビスを備える。クレビスは、第一のエンドキャップのクレビス受入れ部材と、第一の溝部材に連結されたスプリング部材と、に作動係合する。クレビスは、スプリング部材の圧縮状態を変化させるために、クレビス受入れ部材に沿って、第一のエンドキャップの軸に対する所定の角度で調整可能である。
【００１７】
一つの代替例では、クレビスアセンブリは、クレビスとねじ係合するロッドをさらに備える。ロッドは、第一のエンドキャップの軸に対して所定の角度で配置される。他の代替例では、所定の角度は、１０°〜８０°の範囲内にある。さらに他の代替例では、所定の角度は、約４５°〜７０°の範囲内にある。さらに他の代替例では、第一のエンドキャップは、第一の部分と第二の部分とを接続するハウジングを備える。この場合、クレビス受入れ部材は、ハウジングの内部の側壁部に沿って配置される。クレビス受入れ部材は、第一の部分から第二の部分に所定の角度で傾斜する表面部分を備える。
【００１８】
他の代替例では、調整可能な支持装置は、第一の長さを有する第一の締付け具と、各々が第一の長さよりも短い第二の長さを有する一対の第二の締付け具と、をさらに備える。第一の溝部材の第一の端部は、第一の締付け具によって、第一のエンドキャップの第二の部分に接続され、第二の溝部材の第一の端部は、一対の第二の締付け具によって、第一のエンドキャップの第二の部分に接続される。この場合、第一のエンドキャップは、好ましくは、第一の部分と第二の部分とを接続するハウジングを備える。ここで、ハウジングは、一対の第二の締付け具を支持する一対の補強部材を備える。
【００１９】
さらに他の代替例では、調整可能な支持装置は、少なくとも１つのエンドキャップカバーをさらに備える。ここで、第一のエンドキャップは、第一の部分および第二の部分に接続されたフランジ部材をさらに備える。少なくとも１つのエンドキャップカバーは、フランジ部材に隣接して配置され、第一のエンドキャップの一部を覆うのに適するようにされる。他の代替例では、第一の溝部材は、スプリング部材を第一の溝部材に固定する傾斜した受入れ部材を有する一体成形コネクタをさらに備える。この場合、調整可能な支持装置は、望ましくは、第一の溝部材に接続可能な保持カバーをさらに備える。スプリング部材は、保持カバーと傾斜した受入れ部材との間で、第一の溝材に固定される。他の代替例では、第一の溝材は、補強構造を内部にさらに備える。
【００２０】
本発明の他の実施形態によれば、調整可能な支持装置が提供される。本装置は、第一のエンドキャップおよび第二のエンドキャップと、第一の溝部材および第二の溝部材と、を備える。第一のエンドキャップは、第一の端部および第二の端部と、第一の端部から第二の端部に延びる長軸と、を有する。第二の端部は、調整可能な支持装置を表面部分に取付ける手段を備える。第二のエンドキャップは、ユーザ機器を支持する手段を有する。第一の溝部材は、第一の端部および第二の溝部を有する。第一の溝部材の第一の端部は、第一のエンドキャップの第一の端部に接続され、第一の溝部材の第二の端部は、第二のエンドキャップに接続される。第二の溝部材は、第一の端部および第二の端部を有する。第二の溝部材の第一の端部は、第一のエンドキャップの第一の端部に接続され、第二の溝部材の第二の端部は、第二のエンドキャップに接続される。第一の溝部材および第二の溝部材は、スプリング機構を収容する空洞を画成する。調整可能な支持装置は、スプリング機構を調整する手段も備える。調整手段は、第一のエンドキャップの長手軸に対して所定の角度の経路に沿って移動可能である。
【００２１】
本発明のさらに他の実施形態によれば、伸縮機構によって、機器を調整可能に支持する調整アセンブリが提供される。調整アセンブリは、ハウジング、クレビス、および溝装置を備える。ハウジングは、長手軸と、長手軸に対してある角度で配置されたトラックと、を備える。クレビスは、第一の端部および第二の端部を有する。第一の端部は、トラックと係合する表面部分を有し、第二の端部は、伸縮機構の第一の端部と接続する開口を有する。溝装置は、ハウジングに接続された第一の端部と、伸縮機構の第二の端部に接続された第二の端部と、を有する。クレビスは、伸縮機構の位置決めを変化させるために、トラックに沿って調整可能である。
【００２２】
1つの代替例では、調整アセンブリは、ロッドおよび保持板をさらに備える。ロッドは、トラックに沿ってクレビスをねじ調整する。ロッドは、一端のヘッド部と、ヘッド部から離れた側の先端部と、ヘッド部と先端部との間に配置されたネジ部と、を有する。保持板は、ロッドをハウジングの縁部分に固定する。ハウジングの縁部分および保持板は、ロッドの先端部を受入れる差込孔を画定する嵌合凹部を備える。
【００２３】
一例では、クレビスは、実質的に互いに平行の底面部および上面部を備え、クレビスの開口部は、底面部と上面部との間の中間の高さに配置される。他の例では、クレビスは、実質的に互いに平行の底面部および上面部を備え、クレビスの開口部は、底面部と上面部との間の中間の上方の高さに配置される。ここで、クレビスの第二の端部は、好ましくは、上方に傾斜する。さらに他の例では、クレビスは、実質的に互いに平行の底面部および上面部を備え、クレビスの開口部は、底面部と上面部との間の中間の下方に配置される。この場合、クレビスの第二の端部は、好ましくは、下方に傾斜する。
【００２４】
代替例では、クレビスの第二の端部は、一対の互いに離間した締付け部材を備え、開口部は、一列に並んだ一対の開口部から構成される。一対の開口部の第一の開口部は、一対の締付け部材の第一の締付け部材に配置され、一対の開口部の第二の開口部は、一対の締付け部材の第二の締付け部材に配置される。クレビスは、クレビスをトラックに沿ってねじ調整する差込孔を備える。トラックの角度は、長手軸に対する第一の角度であり、差込孔は、長手軸に対して第二の角度で配置される。第一の角度と第二の角度は、実質的に等しくてもよい。
【００２５】
本発明のさらに他の実施形態によれば、調整可能な伸長アームが提供される。調整可能な伸長アームは、第一の溝部材および第二の溝部材と、第一のエンドキャップおよび第二ンエンドキャップと、を備える。第一の溝部材は、第一の端と、第一の端と反対側の第二の端部と、第一の端部から第二の端部に延在する一対の側壁部と、を有する。第一の溝部材の一対の側壁部の幅は、第一の端部の第一の幅から第二の端部の第二の幅に漸減する。第二の溝部材は、第一の端部と、第一の端部と反対側の第二の端部と、第一の端部から第二の端部に延在する一対の側壁部と、を有する。第二の溝部材の一対の側壁部の幅は、第一の端部の第三の幅から第二の端部の第四の幅に漸減する。第一の溝部材の側壁部および第二の溝部材の側壁部は、それらの間に、スプリング部材を少なくとも部分的に受入れる。第一のエンドキャップは、第一の部分および第二の部分を有する。第一の部分は、第一の溝部材の第一の端部の周囲に連結されると共に、第二の溝部材の第一の端部の周囲に連結される。第二のエンドキャップは、第一の端部および第二の端部を有する。第二のエンドキャップの第一の部分は、第一の溝部材の第二の端部の周囲に連結されると共に、第二の溝部材の第二の端部の周囲に連結される。
【００２６】
１つの代替例では、第三の幅は、第一の幅と実質的に等しく、第四の幅は、第二の幅と実質的に等しい。他の代替例では、第一の溝部材の側壁部および第二の溝部材の側壁部における幅の漸減は、第一の端部から第二の端部に向かって、実質的に均一で、かつ連続している。
【００２７】
さらに他の代替例では、第二の溝部材の側壁部は、各々、第一の部分および第二の部分を有する段付き側壁部から構成される。各段付き側壁部の第一の部分は、第二の部分に対して凹んでいる。この場合、第一の溝部材は、好ましくは、段付き側壁部の第一の部分の外面部分と作動連通する内面部分を有する一対の平坦な側壁部を備える。ここで、調整可能な伸長アームの調整中、平坦な側壁部が段付き側壁部に対して移動可能となるように、平坦な側壁部の内面部分は、望ましくは、段付き側壁部の第一の部分の外面部分から離間している。
【００２８】
他の代替例では、第二の溝部材は、第一のエンドキャップの近くに開口領域を有するカバーを備え、スプリング部材は、開口領域内に少なくとも部分的に突出する。
【００２９】
本発明の他の実施形態によれば、ユーザ機器を支持する伸長アーム装置が提供される。本装置は、第一のエンドキャップおよび第二のエンドキャップと、第一の溝部材および第二の溝部材と、前腕アセンブリと、を備える。第一のエンドキャップは、取付具に接続される第一の部分および第一の部分に接続された第二の部分を有する。第二のエンドキャップは、第一の部分および第二の部分も有する。第一の溝部材は、第一の端部および第二の端部を有する。第一の溝部材の第一の端部は、第一のエンドキャップの第二の部分に接続され、第一の溝部材の第二の端部は、第二のエンドキャップの第一の部分に接続される。第二の溝部材は、第一の端部および第二の端部を有する。第二の溝部材の第一の端部は、第一のエンドキャップの第二の部分に接続され、第二の溝部材の第二の端部は、第二のエンドキャップの第一の部分に接続される。第一の溝部材および第二の溝部材は、スプリング装置用の貯蔵部を画成する。前腕アセンブリは、対弛み装置および前腕伸長部材を備える。前腕伸長部材は、第二のエンドキャップの第二の部分に操作可能に連結された第一の端部と、ユーザ機器を支持する第二の端部と、を有する。対弛み装置によって、第二のエンドキャップに対する前腕伸長部材の回転が可能になると共に、回転中に前腕伸長部材と第二のエンドキャップとの間の弛みが防止される。
【００３０】
１つの代替例では、第二のエンドキャップの第二の部分は、開口を有する差込部を備え、前腕伸長部材の第一の端部は、シャフトおよびシャフトに配置された少なくとも１つの凹部を備え、シャフトは、第二のエンドキャップの第二の部分の開口部内に少なくとも部分的に嵌め込まれ、前腕アセンブリは、ワッシャーおよび締付け具をさらに備える。ワッシャーは、ワッシャーをシャフトに接続するために、少なくとも１つの凹部内に嵌め込まれるように構成された少なくとも１つの突起部を有する。締付け具は、第二のエンドキャップの第二の部分、ワッシャー、およびシャフトを、シャフトが第二のエンドキャップの第二の部分に対して回転可能となるように、一緒に固定する。
【００３１】
この場合、締付け具は、好ましくは、シャフトにねじ止めされ、ワッシャーとシャフトの接続によって、前腕伸長部材の作動中に、締付け具が弛むことが防止される。代替例では、前腕アセンブリは、シャフトを少なくとも部分的に取り囲むように差込部の開口部内に配置されるブッシュをさらに備える。他の代替例では、前腕アセンブリは、前腕伸長部材の外面部分と差込部の外面部分との間に配置される外側ワッシャーをさらに備える。さらに他の代替例では、少なくとも１つの凹部は、シャフトの外面部分に沿って配置された一対の凹部から構成される。ここで、ワッシャーの少なくとも１つの突起部は、一対の凹部内に嵌め込まれるように構成された一対の突起部から構成される。
【００３２】
さらに他の代替例では、第一の溝部材の幅は、第一の端部の第一の幅から第二の端部の第二の幅に漸減し、第二の溝部材の幅は、第一の端部の第三の幅から第二の端部の第四の幅に漸減し、前腕伸長部材の幅は、第二のエンドキャップに隣接する第一の端部の第五の幅から第二のエンドキャップから離れた側の第二の端部の第六の幅に漸減する。この場合、第三の幅は、好ましくは、第一の幅と実質的に等しく、第四の幅は、好ましくは、第二の幅と実質的に等しい。
【００３３】
本発明のさらに他の実施形態によれば、ユーザ機器を支持する伸長アーム装置が提供される。本装置は、第一のエンドキャップおよび第二のエンドキャップと、第一の端部および第二の端部と、前腕伸長部材と、を備える。第一のエンドキャップは、表面部分に取り付けられる手段を有する。第一の溝部材は、第一の端部および第二の端部を有する。第一の溝部材の第一の端部は、第一のエンドキャップに接続され、第一の溝部材の第二の端部は、第二のエンドキャップに接続される。第二の溝部材は、第一の端部および第二の端部を有する。第二の溝部材の第一の端部は、第一のエンドキャップに接続され、第二の溝部材の第二の端部は、第二のエンドキャップに接続される。前腕伸長部材は、第一の端および第二の端部を有する。前腕伸長部材の第一の端部は、第二のエンドキャップに操作可能に連結される。前腕伸長部材の第二の端部は、ユーザ機器に操作可能に連結される。本装置は、前腕伸長部材と第二のエンドキャップとの間の弛みを防ぐ手段をさらに備える。
【００３４】
本発明のさらに他の実施形態によれば、ユーザ機器を位置決めする伸長アーム装置が提供される。本装置は、第一のハウジングおよび第二のハウジングと、溝アセンブリと、支持装置と、接続アセンブリとを備える。第一のハウジングは、伸長アーム装置を支持体に固定するのに用いられる。第二のハウジングは、第一のハウジングから離れた側に位置し、差込部を備える。溝アセンブリは、第一のハウジングおよび第二のハウジングに接続され、伸長アームの位置決めを変化させるように調整可能である。支持装置は、ユーザ機器に接続可能であり、その表面部分に第一の接続部材を備える。接続アセンブリは、支持装置を第二のハウジングに接続するのに用いられる。接続アセンブリは、ワッシャーおよび締付け具を備える。ワッシャーは、貫通開口部および第一の面に第二の接続部材を有する。第二の接続部材は、支持部材の第一の接続部材に固定される。締付け具は、ワッシャーの開口部および第二のハウジングの差込孔内に挿入され、支持装置とねじ係合する。支持装置は、第二のハウジングを中心として回転可能であり、第一の接続部材および第二の接続部材によって、支持装置が第二のハウジングに対して弛むことが防止される。
【００３５】
１つの代替例では、支持装置は、第一の接続部材を有するシャフトを備える。第二のハウジングの差込部は、リップ部分を備える。この場合、伸長アーム装置は、シャフトの周囲に配置されるブッシュをさらに備える。ブッシュは、リップ部分とワッシャーとの間で、第二のハウジングの差込部内に保持される。他の代替例では、支持装置は、前腕伸長部材を備える。さらに他の代替例では、支持装置は、チルト装置を備える。
【発明を実施するための最良の形態】
【００３６】
添付の図面に示される本発明の好ましい実施形態を説明する上で、明確にするために、特定の用語が用いられる。しかし、本発明は、用いられる特定の用語に限定されず、特定の用語は、それぞれ、同様の目的を達成するために同様の意味をもたらす全ての技術的に対応する用語を含むことを理解されたい。
【００３７】
図８は、本発明の好ましい実施形態による伸長アーム１００を示している。伸長アーム１００は、その一端が取付けアセンブリ４００に接続可能であり、その他端がチルト装置３００に取付け可能である。取付けアセンブリ４００は、どのような所望の形態であってもよく、一つの備品、例えば、机、薄板壁のような壁、オフィスのパーティションの一部などに取り付けられてもよい。チルト装置３００は、フラットパネルモニタのようなユーザ機器３０２に接続可能である。しかし、他の電子機器または非電子機器が、チルト装置３００に接続されてもよい。代替的に、ユーザ機器３０２は、伸長アーム１００に直接接続されてもよい。
【００３８】
図９は、伸長アーム１００の分解図である。図示されるように、伸長アーム１００は、好ましくは、第一のエンドキャップ１０２、上溝部材１０４、下溝部材１０６、第二のエンドキャップ１０８、および前腕伸長部材１１０を備えている。伸長アーム１００は、ガススプリング１１２のような伸縮装置によって、選択された形態に調整されると共に、維持される。以下に説明するように、好ましくは、ガススプリング１１２の一端は、上溝部材１０４に接続され、その他端部は、第一のエンドキャップ１０２に接続される。ガススプリング１１２は、前述した従来のガススプリング２８と同等であってもよい。しかし、以下に説明するように、ガススプリング１１２は、伸長アーム１０におけるのと異なる態様で操作されてもよい。伸長アーム１００の構成部品について、以下、詳細に説明する。
【００３９】
図１０Ａ〜図１０Ｆは、第一のエンドキャップ１０２を示している。図１０Ａの斜視図に示されるように、第一のエンドキャップ１０２は、ハウジング１１４を備えている。ハウジング１０４は、例えば、ピンによって、上溝部材１０４および下溝部材１０６に取り付けられるように構成されている。ハウジング１１４は、好ましくは、第一の端部または下端部１１６、第二の端部または上端部１１８、および第一の端部１１６と第二の端部１１８を接続する側壁部１２０を備えている。第二の端部１１８は、第一の端部１１６に対して傾斜しているが、必ずしも、この通りでなくてもよい。側壁部１２０は、好ましくは、略Ｕ字状または略Ｃ字状で、その１つの側部に沿って開いている。
【００４０】
第一のエンドキャップ１０２は、軸１２１を備えている。第一のエンドキャップ１０２は、その構成に依存して、軸１２１を中心として、回転可能であってもよいし、または回転可能でなくてもよい。軸１２１は、第一のエンドキャップ１０２の略中心を貫く長手方向に沿った中心軸１２１として示されている。好ましくは、第一のエンドキャップ１０２は、側壁部１２０に配置された一対の上孔１２２ａおよび一対の下孔１２２ｂを備えている。図１０Ｃに最もよく示されるように、上孔１２２ａおよび下孔１２２ｂは、好ましくは、軸１２１と平行の線または軸１２３に沿って垂直方向に配列されている。代替的に、上孔１２２ａおよび下孔１２２ｂは、垂直に配列されなくてもよく、線１２３は、軸１２１に対して傾斜してもよい。
【００４１】
ハウジング１１４は、望ましくは、単一の細長ピン１２４ａによって上溝部材１０４に取り付けられ、かつ一対の短ピン１２４ｂによって下溝部材１０６に取り付けられる。図９を参照されたい。細長ピン１２４ａは、ハウジング１１４の少なくとも幅にわたって延在し、上溝部材１０４と係合する必要がある。短ピン１２４ｂは、好ましくは、ハウジング１１４の幅の半分未満にわたって延在し、各々、下溝部材１０６の一部と係合する。また、細長ピン１２４ａのような細長ピンによって、エンドキャップ１０２を下溝部材１０６に取り付けることもできる。しかし、この場合、伸長アーム１００の十分な伸長および移動の自由度が十分に達成されないことがある。何故なら、長く延在する細長ピンによって、ガススプリング１１２の移動を妨げることがあるからである。
【００４２】
図１０Ａ，図１０Ｆに最もよく示されるように、側壁部１２０の内部は、好ましくは、互いに向き合った補強部材１２６を備えている。補強部材１２６は、下孔１２２ｂと一直線に並んで配置される。好ましくは、下孔１２２ｂは、補強部材１２６内に実質的に延在するかまたは完全に補強部材１２６を貫通し、これによって、短ピン１２４ｂを受入れる付加的な深さが得られる。補強部材１２６は、側壁部１２０の下孔１２２ｂと隣接する部分のみに配置されてもよいし、または図示されるように、側壁部１２０の上端部分１１８に隣接する後部に向かって延在してもよい。
【００４３】
また、図１０Ａ，図１０Ｆに示されるのは、トラックまたはクレビス受入れ部材１２７である。このトラック１２７は、好ましくは、補強部材１２６間において、側壁部１２０の後部に沿って配置される。トラック１２７は、望ましくは、側壁部１２０と一体で、第一の端部１１６から第二の端部１１８に向かって延在するとよい。トラック１２７は、三角形に形成されるとよく、好ましくは、第二の端部１１８から第一の端部１１６に向かって傾斜する面１２７ａを備えている。傾斜面１２７ａは、軸１２１に対して、好ましくは、線１２３に対して、傾斜するとよい（すなわち、軸１２１、好ましくは、線１２３と非平行であるとよい）。傾斜面１２７ａの目的は、以下、クレビスアセンブリと関連して、詳細に説明する。
【００４４】
図１０Ａ〜図１０Ｃおよび図１０Ｅ，図１０Ｆに示されるように、シャフト１２８または他の接続装置が、ハウジング１１４の第一の端部１１６に配置されるとよい。シャフト１２８は、好ましくは、取付けアセンブリ４００に接続されるように構成されている。シャフト１２８は、ハウジング１１４の第一の端部１１６と一体成形されるとよい。代替的に、シャフト１２８は、第一のエンドキャップ１０２のハウジング１１４に固定して取り付けられてもよい。しかし、好ましくは、シャフト１２８は、第一のエンドキャップ１０２と一体化される。
【００４５】
図１０Ａ，図１０Ｆに示されるように、第一のエンドキャップ１０２のハウジング１１４は、その第一の端部１１６またはその近傍に配置された一対の孔または開口部１３０を備えている。これらの孔１３０間に、凹部１３２が、トラックまたはクレビス受入れ部材１２７と一直線に並んで配置されるとよい。孔１３０および凹部１３２は、以下に説明するように、クレビスアセンブリを第一のエンドキャップ１０２に取り付けるときに、用いられる。
【００４６】
図１０Ｂ，図１０Ｄ，図１０Ｆに最もよく示されるように、ハウジング１１４の第二の端部１１８は、好ましくは、貫通孔１３４を備えている、孔１３４は、クレビスアセンブリの一部であるネジ付ロッド１３６（図１１Ａ〜図１１Ｃ参照）を受入れるように構成されている。ハウジング１１４の外部は、フランジ部材１３８も備えているとよい。フランジ部材１３８は、第二の端部１１８に配置されるかまたは一体化される上フランジ１３８ａと、第一の端部１１６に配置されるかまたは一体化される下フランジ１３８ｂとを有している。上フランジ１３８ａおよび下フランジ１３８ｂは、互いに対して、角度φ1で配置される。
【００４７】
図１１Ａ〜図１１Ｃは、ネジ付ロッド１３６をさらに詳細に示している。ネジ付ロッド１３６は、先端部１４０、ネジ部１４２、およびヘッド部１４４を備えている。ヘッド部１４４は、フランジ１４５を有している。ヘッド部１４４は、好ましくは、ハウジング１１４の第二の端部１１８の孔１３４内に到達可能なように配置される。
【００４８】
ロッド１３６は、クレビス１４６とねじ係合する。図１２Ａ〜図１２Ｈは、クレビス１４６の好ましい実施形態を詳細に示している。図１２Ａ，図１２Ｂは、クレビス１４６の斜視図を示している。図示されるように、クレビス１４６は、ネジ孔１４８を備えている。ネジ孔１４８に、ネジ付ロッド１３６が螺合される。図１２Ｃの上面図および図１２Ｄの正面図に示されるように、クレビス１４６の第一の端部１５０は、好ましくは、一対の互いに離間した締付け部材１５２ａ，１５２ｂを備えている。図１２Ｅの側面図に示されるように、締付け部材１５２ａ，１５２ｂは、一列に並ぶ開口部１５４を備えている。開口部１５４は、クレビス１４６の底部に対して高さＨに配置される。この実施形態では、開口部１５４は、中心線１５７に沿って、クレビス１４６の底部１５５ａと上端１５５ｂとの間の略半分の位置に配置されている。ガススプリング１１２の一端が、開口部１５４に通されたガススプリングピン１５６または他の締付け具を介して、締付け部材１５２ａ，１５２ｂに締め付けられる（図１６Ｄ参照）。
【００４９】
図１２Ｆ〜図１２Ｈは、ネジ孔１４８および開口部１５４を仮想線で示している。図１２Ｇにおいて最もよく示されるように、孔１４８は、例えば、クレビス１４６の底部または上端に対して角度αで配置される。一実施形態では、この角度αは、少なくとも約２０°である。他の実施形態では、角度αは、約８０°未満である。さらに他の実施形態では、角度αは、４５°〜７５°の範囲内にある。より好ましくは、角度αは、約６０°〜７０°の範囲内にある。最も好ましくは、角度αは、約６５°である。
【００５０】
クレビス１４６の第二の端部１５６は、第一のエンドキャップ１０２のトラック１２７と摺動可能に係合するように構成される。さらに具体的には、クレビス１４６の第二の端部１５６の係合面１５８は、トラック１２７の傾斜面１２７ａに配置されるかまたは作動可能／機械的に接触して配置される。係合面１５８は、例えば、クレビスの底部または上端部に対して角度βで配置される。βは、軸１２１に対するゼロではない角度である。角度βは、傾斜面１２７の角度と同一であってもよい。さらに好ましくは、角度βは、例えば、角度２０°〜８０°の範囲内において、望ましくは、４５°〜７５°の範囲内において、角度αと実質的に同一である。
【００５１】
図１２Ｉ〜図１２Ｌは、代替的な好ましいクレビスの実施形態を示している。これらの４つの図は、上方傾斜クレビス１４６1を示している。ネジ孔１４８1に、ネジ付ロッド１３６が嵌め込まれる。図１２Ｊの上面図および図１２Ｋの側面図に示されるように、上方傾斜クレビス１４６1の第一の端部１５０1は、好ましくは、上方に傾斜した互いに離間した締付け部材１５２1を備えている。図１２Ｋの側面図および図１２Ｉの斜視図に示されるように、上方に傾斜した締付け部材１５２1は、一列に並ぶ開口部１５４1を備えている。一列に並ぶ開口部１５４1は、クレビス１４６1の底部に対して高さＨ1に配置されている。高さＨ1は、好ましくは、クレビス１４６の高さＨよりも大きい。この実施形態では、開口部１５４1の高さＨ1は、望ましくは、中心線１５７1より大きく、例えば、クレビス１４６1の底部と上端部との間の半分よりも大きい。従って、ガススプリングがクレビス１４６1に接続されるとき、接続点は、高さＨではなく、高さＨ1に位置する。
【００５２】
クレビス１４６の孔１４８と同様に、孔１４８1は、望ましくは、クレビス１４６1の底部または上端部に対して角度α1で配置される。一実施形態では、角度α1は、少なくとも約２０°である。他の実施形態では、角度α1は、約８０°未満である。さらに他の実施形態では、角度α1は、４５°〜７５°の範囲内にある。さらに好ましくは、角度α1は、約６０°〜７０°の範囲内にある。最も好ましくは、角度α1は、約６５°である。代替的に、角度α1は、８０°より大きくてもよく、場合によっては、実質的にまたは正確に９０°であってもよい。以下にさらに詳細に説明するように、角度α1が９０°近くまたは９０°であっても、上方傾斜クレビス１４６1は、従来のクレビスを上回る性能の改良をもたらす。
【００５３】
クレビス１４６1の第二の端部１５６1は、第一のエンドキャップ１０２のトラック１２７と摺動可能に係合するように構成される。さらに具体的には、クレビス１４６1の第二の端部１５６1の係合面１５８1は、トラック１２７の傾斜面１２７ａに配置されるかまたは作動可能に／機械的に接触して配置される。係合面１５８1は、例えば、クレビス１４６1の底部または上端部に対して角度β1で配置される。もちろん、角度β1は、傾斜面１２７ａの角度と同一であってもよいことを理解されたい。さらに好ましくは、角度β1は、角度α1と実質的に同一である。例えば、β1は、２０°より大きくてもよいし、８０°より小さくてもよいし、例えば、４５°〜７５°の範囲内にあってもよいし、または８０°を超える範囲内にあってもよい。
【００５４】
図１２Ｍ〜図１２Ｐは、さらに他の好ましいクレビスの実施形態を示している。これらの４つの図は、下方傾斜クレビス１４６2を示している。ネジ孔１４８2に、ネジ付ロッド１３６が螺合されている。図１２Ｎの上面図および図１２Ｏの側面図に示されるように、下方傾斜クレビス１４６2の第一の端部１５０2は、好ましくは、下方に傾斜する互いに離間した締付け部材１５２2を備えている。図１２Ｏの側面図および図１２Ｍの斜視図に示されるように、下方に傾斜する締付け部材１５２2は、一列に並ぶ開口部１５４2を備えている。一列に並ぶ開口部１５４2は、クレビス１４６2の底部に対して高さＨ2に配置される。この実施形態では、一列に並ぶ開口部１５４2の高さＨ2は、望ましくは、中心線１５７2よりも低く、すなわち、クレビス１４６2の底部と上端との間の半分よりも低い。高さＨ2は、好ましくは、クレビス１４６の高さＨよりも小さい。従って、ガススプリングがクレビス１４６2に接続されると、接続点は、高さＨではなく、高さＨ2に位置する。
【００５５】
クレビス１４６の孔１４８と同様に、孔１４８2は、望ましくは、クレビス１４６2の底部に対して角度α2で配置される。一実施形態では、角度α2は、少なくとも約２０°である。他の実施形態では、角度α2は、約８０°未満である。さらに他の実施形態では、角度α2は、４５°〜７５°の範囲内にある。さらに好ましくは、角度α2は、約６０°〜７０°の範囲内にある。最も好ましくは、角度α2は、約６５°である。代替的に、角度α2は、８０°より大きくてもよく、場合によっては、実質的にまたは正確に、９０°であってもよい。以下にさらに詳細に説明するように、角度α2が９０°に近くまたは９０°であっても、下方傾斜クレビス１４６2は、従来のクレビスを上回る性能の改良をもたらす。
【００５６】
クレビス１４６2の第二の端部１５６2は、第一のエンドキャップ１０２のトラック１２７と摺動可能に係合するように構成される。さらに具体的には、クレビス１４６2の第二の端部１５６2の係合面１５８2は、トラック１２７の傾斜面１２７ａに配置されるか、または作動可能に／機械的に接触して配置される。係合面１５８2は、クレビス１４６2の底部または上端に対して角度β2で配置される。もちろん、角度β2は、傾斜面１２７ａの角度と同じであってもよいことを理解されたい。さらに好ましくは、角度β2は、角度α2と実質的に同一であってもよい。例えば、β2は、２０°〜８０°の範囲内にあってもよく、例えば、４５°〜７５°の範囲内にあってもよく、または代替的に、８０°以下の範囲内にあってもよい。
【００５７】
図１３Ａ〜図１３Ｅは、クレビスアセンブリの他の要素、特に、保持板１６０を示している。図１３Ａの斜視図、図１３Ｂの正面図、および図１３Ｃの底面図に示されるように、保持板１６０は、好ましくは、締付け具１６４（図９参照）を受入れるように構成された貫通穴１６２を有する一対の互いに離間したノブ１６１を備えている。互いに離間したノブ１６１は、本体１６３の両端に配置されている。図１３Ｄは、保持板１６０の側面図を示している。図１３Ｂの正面図および図１３Ｆの上面図に示されるように、保持板１６０は、好ましくは、本体１６３の第一の側部に沿った凹部１６６も備えることが分かるだろう。
【００５８】
図１４は、クレビスアセンブリ、第一のエンドキャップ１０２、および取付けアセンブリ４００の分解図を示している。取付けアセンブリ４００は、基部４０２および基部４０２に配置された取付けカップ４０４を備えているとよい。取付けカップ４０４は、好ましくは、第一のエンドキャップ１０２のシャフト１２８を受入れるのに適するようにされた開口部または差込口４０６を備えている。ブラケットのような接続部材４０８を用いて、取付けアセンブリ４００を１つの備品、壁、または他の安定した支持体に接続することができる。図には、一対の第一のエンドキャップカバー１６８も示されている。代替的な接続部材４０８が、図１４Ｂ〜図１４Ｄに示されている。
【００５９】
一対の第一のエンドキャップカバー１６８が、図１５Ａ〜図１５Ｄにさらに詳細に示されている。図１５Ａの斜視図に示されるように、第一のエンドキャップカバー１６８は、各々、好ましくは、単一の一体片として形成され、この単一の一体片は、成形プラスチックまたは金属であればよい。エンドキャップカバー１６８の特定の形状は、第一のエンドキャップ１０２の形状に適合するようにされるとよい。図１５Ｂの上面図および図１５Ｃの背面図に示されるように、第一のエンドキャップカバー１６８は、略三角形状を有している。第一のエンドキャップカバー１６８は、望ましくは、各々、リブまたは基部１７０およびカバー１７２を備えている。リブ１７０は、湾曲されてもよいし、または傾斜されてもよい。カバー１７２は、好ましくは、基部１７０と一体に形成される。一対のピン、突起部、または他の締付け部材１７４が、カバー１７２の内面部分に配置されるとよい。
【００６０】
クレビスアセンブリ、第一のエンドキャップ１０２、および上溝部材１０４および下溝部材１０６が、以下に簡単に説明するように、互いに接続された後、第一のエンドキャップカバー１６８が、組み立てられた構成部品を覆って配置される。第一のエンドキャップカバー１６８は、第一のエンドキャップ１０２の側壁部１２０の外面部分の一部または全てを覆い隠するように構成され、これによって、第一のエンドキャップ１０２の外観を修正または向上させることができる。図８を参照されたい。各第一のエンドキャップカバー１６８の基部１７０は、好ましくは、第一のエンドキャップ１０２の片側において、上フランジ１３８ａと下フランジ１３８ｂとの間に嵌合される。締付け部材１７４の内、第一の対１７４ａは、上溝部材１０４の孔または開口に接続される。また、締付け部材１７４の内、第二の対１７４ｂは、下溝部材１０６の孔または開口部に接続される。
【００６１】
図１４Ａを再び参照すると、クレビスアセンブリおよび第一のエンドキャップ１０２は、以下のように、接続されるとよい。クレビス１４６が、第一のエンドキャップ１０２のハウジング１１４内に挿入される。このとき、クレビス１４６の第二の端部１５６の係合面１５８は、第一のエンドキャップ１０２内のトラック１２７の傾斜面１２７ａと作動可能に接触して配置される。
【００６２】
ネジ付ロッド１３６が、第一のエンドキャップ１０２の内側に配置される。好ましくは、ヘッド部１４４のフランジ１４５が、孔１３４の内面部分に隣接して配置される。次いで、ロッド１３６のネジ部１４２が、クレビス１４６にねじ係合される。ネジ付ロッド１３６の先端部１４０は、第一のエンドキャップ１０３の凹部１３２内に嵌合される。
【００６３】
保持板１６０は、凹部１６６を凹部１３２と向き合わせ、貫通孔１６２をハウジング１１４の第一の端部１１６またはその近傍に位置する孔または開口部１３０と一列に並べて、配置される。先端部１４０は、望ましくは、凹部１３２，１６６によって生じる開口部内に保持される。保持板１６０は、締付け具１６４によって、ハウジング１１４に固定される。
【００６４】
部分的な組立が、図１６Ａ，図１６Ｂに示される。ここでは、ガススプリングピン１５６が、クレビス１４６の一対の締付け部材１５２ａ、１５２ｂに接続されている。任意選択的に、１つまたは複数の保持リング１７６によって、ガススプリングピン１５６は、締付け部材１５２ａ、１５２ｂに固定されてもよい。図１６Ｃは、図１６ＡのＡ−Ａ線に沿った断面図を示している。もちろん、図１６Ｂの線Ｂ−Ｂに沿った図１６Ｄの断面図に示されるように、ガススプリングピン１５６は、ガススプリング１１２と組み合わせて、締付け部材１５２ａ、１５２ｂに固定されることを理解されたい。
【００６５】
図１に示されるような従来の伸長アームアセンブリでは、ピストンがガススプリング４０内のシリンダーに沿って摺動するとき、油がそのピストンを潤滑する。もしピストンが適切に潤滑されない場合、ガススプリング４０は、適切に機能しない。油または他の流体は、典型的なものでは、ガススプリング４０内のシリンダー内に溜められ、このシリンダーは、第一のエンドキャップ１２から離れたガススプリング４０の第一の端部に保持される。しかし、本発明による新規の配置によれば、ガススプリング１１２は、シリンダー１１２ａが第一のエンドキャップ１０２またはその近傍においてガススプリング１１２の端に保持されるように、配置される。もしシリンダー１１２ａが第一のエンドキャップ１０２に接続されず、その反対側に配置され、上溝部材１０４に接続されると、潤滑流体は、ピストンに隣接するシリンダー１１２ａの端に滞留する可能性がある。この滞留によって、シリンダー１１２ａは、効果的に潤滑されない。従って、シリンダー１１２ａの配置を第一のエンドキャップと隣接した位置に反転させることによって、適切な潤滑が確実に得られる。さらに、ガススプリング１１２の配置を反転させることによって、伸長アーム１００のさらにコンパクトな設計が可能になる。
【００６６】
図１６Ｂの線Ｂ−Ｂに沿った図１６Ｄの断面図に示されるように、クレビス１４６の係合面１５８、傾斜面１２７ａ、およびネジ付ロッド１３６の全てが、好ましくは、第一のエンドキャップ１０２の軸１２１に対して、角度θで配置される。角度θは、好ましくは、少なくとも１０°で、８０°未満である。角度θは、１５°〜７５°の範囲内にあってもよい。さらに好ましくは、角度θは、２０°〜４０°の範囲内にある。最も好ましくは、角度θは、約２５°である。図１６Ｄに示されるように、線１２３ｂは、軸１２１と平行である。従って、係合面１５８、傾斜面１２７ａ、およびネジ付けロッド１３６の角度は、好ましくは、線１２３を基準として、１０°〜８０°の範囲内、さらに好ましくは、２０°〜５０°の範囲内にあり、例えば、約２５°である。
【００６７】
クレビスアセンブリは、以下のように調整される。ねじ回しまたは六角キーのような工具を孔１３４内に挿入し、ロッド１３６のヘッド部１４４と係合させる。次いで、六角キーを用いて、ネジ付ロッド１３６をその回転軸に沿って回転させる。ネジ付ロッド１３６をその回転軸に沿って回転させると、クレビス１４６は、六角キーが回転する方向に対応する方向において、ネジ付ロッド１３６の長さに沿って移動する。クレビス１４６のこの作動によって、ガススプリング１１２を調整することができる。具体的に、クレビス１４６は、軸１２１に対して角度θで、好ましくは、線１２３に対して傾斜した（すなわち、線１２３と非平行に延びる）経路にあるトラック１２７の傾斜面１２７ａに沿って、上下に移動する。
【００６８】
クレビス１４６の経路を軸１２１および第一のエンドキャップ１０２の線１２３に対して傾斜させると、梃子の作用が大きくなるので、伸長アーム１００が支持し得る負荷の量が著しく増大することが見出されている。例えば、従来の伸長アーム１０は、ディスプレイを効果的に支持するのに、８００ニュートン級のガススプリング４０を必要とする。対照的に、伸長アーム１００における傾斜クレビスは、わずかに２００ニュートン級のガススプリング１１２のみを用いて、同一の負荷を支持することができる。
【００６９】
同一の負荷を支持するために、ガススプリングの動力を４倍減少させることによって、製造業者は、従来のシステムよりも著しく小さいガススプリングを用いることができ、これによって、伸長アーム１００の全体をより小さくすることができる。さらに、より小さいガススプリング１１２は、より大きいガススプリング４０よりも著しく安価に作製される。このように全体の設計がコンパクトであるにもかかわらず、コスト削減の点だけを取り上げても、伸長アーム１００を販売する上で著しい効果がある。
【００７０】
図１６Ｅ，図１６Ｆは、上方傾斜クレビス１４６1をクレビスアセンブリ、第一のエンドキャップ１０２、およびガススプリング１１２と共に示す斜視図および断面図である。図１６Ｇ，図１６Ｈは、下方傾斜クレビス１４６2をクレビスアセンブリ、第一のエンドキャップ１０２，およびガススプリング１１２と共に示す斜視図および断面図である。クレビス１４６1，１４６2の角度θ1，θ2は、クレビス１４６の角度θと同一であってもよい。代替的に、角度θ1，θ2は、１０°以下であってもよい。以下に説明するように、角度θ1またはθ2が０°またはその近くであっても、クレビス１４６1，１４６2は、従来のクレビス６０を上回る改良をもたらす。
【００７１】
図２８Ａ〜図２８Ｆは、上方傾斜クレビス１４６1および下方傾斜クレビス１４６2が、軸１２１と平行に位置調整される従来の直線状クレビスに対して、どのように機能するかを示している。具体的には、図２８Ａは、アームが上方に延びた位置にあるときにトラックの底部に配置された従来の直線状のクレビス６０を示している。図２８Ｂは、アームが下方に延びた位置にあるときにトラックの上端に配置された直線状クレビス６０を示している。図２８Ｃは、アームが上方に延びた位置にあるときにトラックの底部に配置された上方傾斜クレビス１４６1を示している。図２８Ｄは、アームが下方に延びた位置にあるときにトラックの上端に配置された上方傾斜クレビス１４６1を示している。図２８Ｅは、アームが上方に延びた位置にあるときにトラックの底部に配置された下方傾斜クレビス１４６2を示している。図２８Ｆは、アームが下方に延びた位置にあるときにトラックの上端部に配置された下方傾斜クレビス１４６2を示している。
【００７２】
前述したように、従来のクレビス６０に代わって本発明のクレビスを用いると、明らかな利点が得られる。例えば、５０ニュートン、２００ニュートン、４００ニュートン、または６００ニュートンのような等級の所定のガススプリングに対して、クレビス１４６を用いることによって、クレビス６０が扱うよりも大きい重量のユーザ機器３０２を扱うことができる。クレビス１４６1は、所定の等級のガススプリングを用いた場合、クレビス１４６よりも大きい重量を支持することができ、クレビス１４６2は、少なくともクレビス１４６1によって支持された重量を支持することができる。試験によれば、下方傾斜クレビス１４６2は、所定の等級のガススプリングを用いた場合、最も大きい重量を支持することが分かっている。また、試験によれば、下方傾斜クレビス１４６2は、クレビス１４６またはクレビス６０よりも大きい可動範囲を伸長アームにもたらすことが分かっている。また、これらの試験によれば、上方傾斜クレビス１４６1は、クレビス１４６またはクレビス６０よりもさらに一層大きい可動範囲を伸長アームにもたらすことが分かっている。
【００７３】
上溝部材１０４は、図１７Ａ〜図１７Ｆにさらに詳細に示されている。上溝部材１０４は、好ましくは、一対の側壁部１７８およびカバー１８０を備える略Ｕ状本体を有している。カバー１８０は、上溝部材１０４の長さに沿って一対の側壁部１７８間に延在している。従来の鋳造製の上溝部材に存在するパーティングラインを避けるために、好ましい実施形態における側壁部１７８は、鋳造製または溶接製の外側ローラを備えていない。その代わりに、側壁部１７８は、実質的に平坦または平滑とされ、第一の端部１８４ａおよび第二の端部１８４ｂの各々に、孔１８２を有している。図１７Ｂを参照されたい。第一の端部１８４ａおよび第二の端部１８４ｂは、内側ロータとして作用する厚い端部１８５を有しているとよい。好ましくは、孔１８２を中心とする端部１８５の突出縁部分は、鋭角を避け、第一のエンドキャップ１０２および第二のエンドキャップ１０８との衝突を避けるために、湾曲している。
【００７４】
上面図１７Ａおよび下面図１７Ｃに示されるように、上溝部材１０４の幅は、望ましくは、第一の端部１８４ａの幅Ｗ1から第二の端部１８４ｂの第二の幅Ｗ2に狭くなり、すなわち、漸減する。図１７Ｄ，図１７Ｅは、それぞれ、第一の端部１８４ａおよび第二の端部１８４ｂの端面図である。幅の漸減は、好ましくは、上溝部材１０４の長さに沿って、均一で、かつ連続的になっている。第一の端部１８４ａの幅Ｗ1を大きくすることによって、上溝部材１０４の基部に付加的な捩じれ強度をもたらすことができる。
【００７５】
補強構造１８６は、外部に設けると、エンドユーザの目に触れるので、望ましくは、上溝部材１０４の内部に配置される。図１７Ｃは、カバー１８０の内面部分における補強構造１８６を示している。補強構造１８６は、好ましくは、例えば、注型によってカバー１８０と一体成形されるか、または別の組立部品としてカバー１８０に取り付けられる。補強構造１８６は、好ましくは、例えば、ハニカム構造、格子構造、多孔構造、または略交差リブ付構造を成すように配置された一連の隆起リブ１８８および空間１９０から構成される。交差リブ付補強構造は、ここでは、「交差リブ」と呼ぶ。補強構造１８６は、連続的な構造またはリブのない構造から構成されてもよい。
【００７６】
上溝部材１０４の内部に配置されると、補強構造１８６は、必然的に、Ｕ状本体の内側部分にかなりの場所を取る。これは、補強構造１８６がガススプリング１１２または他の伸縮装置の可動範囲を制限するので、望ましくない。従って、補強構造１８６の厚みは、好ましくは、上溝部材１０４の一端から他端に漸減させとよく、および／または上溝部材１０４の真ん中に沿って、中心に向かって漸減させるとよい。
【００７７】
交差リブまたは他の補強構造の幅は、同時係属中の「補強部を有するアーム装置」という表題の米国特許出願第１０／８８５，８５４号明細書に図示され、かつ記述されるように、漸減されてもよい。この開示内容は、参照することによって、その全体がここに含まれるものとする。
【００７８】
図１７Ａ，図１７Ｃは、ガススプリング１１２を上溝部材１０４に取り付ける支持装置または取付け装置１９２も示している。取付け装置１９２は、好ましくは、少なくとも１つのフックまたはコネクタ１９４を備えている。しかし、２つのコネクタ１９４を備えると、好ましい。図１７Ａの線Ａ−Ａに沿った図１７Ｆの断面図は、コネクタ１９４をさらに詳細に示している。ガススプリング１１２は、ピン１９６または他の締付け具によって、上溝部材１０４に接続される。ピン１９６は、ガススプリング１１２に固定される。図１７Ｆに示されるように、コネクタ１９４は、好ましくは、実質的に「Ｊ」字状またはフック状であるが、他の構成も可能である。ピン１９６は、コネクタ１９４によって保持され、これによって、ガススプリング１１２を上溝部材１０４に固定することができる。斜線領域１９４’が設けられたコネクタ１９４の修正例が示されている。斜線領域１９４’の材料が加えられることによって、コネクタ１９４が付加的に補強され、極めて重い機器を支持することができる。
【００７９】
コネクタ１９４を備える取付け装置１９２を上溝部材１０４の残りの部分と一体成形または型鋳造すると、望ましい。この場合、型鋳造を可能とするために、窓部１９７が上溝部材１０４内に設けられる。しかし、取付け装置１９２を別個に作製し、それを上溝部材１０４に取付けることもできる。
【００８０】
カバー１９８が、窓部１９７内に挿入され、ネジ２００のような締付け具を用いて、上溝部材１０４に締め付けられるとよい。図９を参照されたい。カバー１９８は、図１８Ａ〜図１８Ｅにさらに詳細に示されている。図１８Ａの斜視図および図１８Ｂの上面図に示されるように、カバー１９８は、好ましくは、ネジ２００を受入れるように構成された一対の貫通孔２０４を有する外面部分２０２を備えている。ネジ２００は、孔２０４内に挿入可能であり、望ましくは、取付け装置１９２（図示せず）のネジ付差込孔に接続される。２つの貫通孔２０４が示されているが、少なくとも１つの貫通孔２０４が設けられるべきである。装飾カバー２０５（図８，図９参照）が、例えば、ネジ２００を隠し、および／または製造業者のロゴを表し、または美的設計をもたらすために、カバー１９８を覆って固定されるとよい。
【００８１】
図１８Ｃの上面図、図１８Ｄの底面図、および図１８Ｅの側面図に示されるように、カバー１９８は、好ましくは、１つまたは複数の突起部またはポスト２０６も備えている。カバー１９８が窓部１９６に固定されると、外面部分２０２は、好ましくは、上溝部材１０４のカバー１８０の外面部分と実質的に同一の平面をなす。ポスト２０６は、好ましくは、コネクタ１９４に被さって配置される。締付け具またはピン１９６は、コネクタ１９４とポスト２０６との間に固定され、これによって、ガススプリング１１２を上溝部材１０４に固定することができる。
【００８２】
下溝部材１０６は、図１９Ａ〜図１９Ｆにさらに詳細に示されている。下溝部材１０６は、好ましくは、一対の側壁部２０８およびカバー２１０を備える略Ｕ字状本体を有している。カバー２１０は、下溝部材１０６の長さに沿って、一対の側壁部２０８間に延在している。側壁部２０８の各々は、好ましくは、図１９Ｂ，図１９Ｄ，図１９Ｅに最もよく示されるように、段付き形状を有し、カバー２１０に隣接する第一の部分２０８ａおよびカバー２１０から離れた第二の部分２０８ｂを備えている。
【００８３】
側壁部２０８の第一の部分２０８ａは、各々、その第一の端部２１４ａに孔２１２ａを有している。図１９Ｂを参照されたい。側壁部２０８の第二の部分２０８ｂは、各々、その第二の端２１４ｂに孔２１２ｂを有している。第一の端２１４ａにおける孔２１２ａと隣接する部分は、鋭角を避け、第二のエンドキャップ１０８との衝突を避けるために、好ましくは、湾曲している。
【００８４】
上面図１９Ａおよび底面図１９Ｃに示されるように、下溝部材１０６の幅は、望ましくは、第二の端部２１４ａの幅Ｗ3から第一の端部２１４ｂの第二の幅Ｗ4に狭くなり、すなわち、漸減する。幅Ｗ3を大きくすることによって、下溝部材１０６の基部に付加的な捩じれ強度をもたらすことができる。図１９Ｄ，図１９Ｅは、それぞれ、第一の端部２１４ａおよび第二の端部２１４ｂの端面図である。幅の漸減は、好ましくは、下溝部材１０６の長さに沿って、均一で、連続的になっている。また、下溝部材１０６は、補強構造１８６のような補強構造を備えることもできるが、必ずしも必要ではない。何故なら、下溝部材１０６は、上溝部材１０４が受けるような種類の負荷を受けないからである。
【００８５】
図１９Ａ，図１９Ｃに示されるように、カバー２１０は、第二の端部２１４ｂまたはその近傍に開口領域２１６を備えているとよい。この開口領域を用いて、ガススプリング１１２用のクリアランスをもたらすことができる。開口領域２１６は、例えば、第二の端部２１４ｂから下溝部材１０６の略中央に延在しているとよい。開口領域２１６は、第二の端部２１４ｂの近くに位置する第一の領域２１６ａと、下溝部材１０６の中央の近くに位置する第二の領域２１６ｂと、を備えているとよい。この場合、第二の領域２１６ｂは、好ましくは、第一の領域２１６ａよりも狭くなっている。さらに、カバー２１０は、ガススプリング１１２用の十分なクリアランスを確実にもたらすために、第二の領域２１６ｂに隣接する先細の領域２１８を備えているとよい。
【００８６】
図１９Ｄ，図１９Ｅに最もよく示されると、第二の部分２０８ｂの両方の外面部分が、第一の部分２０８ａの両方の外面部分に対して凹んでいる。従って、上溝部材１０４と下溝部材１０６が一緒に組み立てられると、上溝部材１０４の側面１７８の内面部分が、下溝部材１０６の第二の部分２０８ｂの外面部分に隣接して配置される。伸長アーム１００の作動中に、ガススプリング１１２が調整され、例えば、圧縮されるかまたは非圧縮状態にされると、上溝部材１０４が下溝部材１０６に対して前方または後方に摺動するか、またはその逆に摺動することが可能である。従って、側壁部１７８の内面部分と第二の部分２０８ｂの外面部分との間の相対的な間隔は、変化する。一例にすぎないが、ガススプリング１１２が非圧縮状態にあるとき、この間隙は、１．９０５ｍｍ〜４．４４５ｍｍ（０．０７５インチ〜０．１７５インチ）の範囲内、例えば、３．１７５ｍｍ（０．１２５インチ）であるとよい。しかし、ガススプリング１１２が十分に圧縮されたとき、この間隙は、１．９０５ｍｍ〜０．０ｍｍ（０．０７５インチ〜０．０インチ）の範囲内にあるとよい。第二の端２１４ｂの縁部分２２０には、下溝部材１０６を第一のエンドキャップ１０２に接続するためのピン１２４ｂ用の遊隙をもたらすために、例えば、凹凸面、面取り面、斜面（ｂｅｖｅｌ）、および／または４５°の面が付されるとよい。
【００８７】
図２０Ａ〜図２０Ｆは、第二のエンドキャップ１０８を示している。図２０Ａの斜視図に示されるように、第二のエンドキャップ１０８は、ハウジング２２２を備えている。ハウジング２２２は、好ましくは、例えば、ピンによって、上溝部材１０４および下溝部材１０６に接続される第一の半体２２４と、前腕伸長部材１１０に接続される第二の半体２２６と、第一の半体２２４および第二の半体２２６を接続する側壁部２２８とを備えている。第一の半体２２４、第二の半体２２６、および側壁部２２８は、好ましくは、一体成形または一体鋳造される。側壁部２２８は、略Ｕ字状または略Ｃ字上の断面を有し、一方の側が開いているとよい。側面図２０Ｄに示されるように、第二のエンドキャップ１０８は、実質的に三角形の形状または三角形の輪郭を有しているとよい。
【００８８】
第二のエンドキャップ１０８は、望ましくは、第二の半体２２６の上端部に取り付けられるかまたは一体化される円形領域または突起部２３０を備えている。円形領域または円形突起部２３０は、以下に説明するように、第二のエンドキャップ１０８を前腕伸長部材１１０に接続するのに、用いられる。図２０Ｆは、図２０Ｂの線２０Ａ−２０Ａに沿った第二のエンドキャップ１０８の断面図である。この図に示されるように、突起部２３０は、好ましくは、開口部２３２を備えている。突起部２３０は、好ましくは、以下にさらに詳細に説明するように、ブッシュを保持する張出し部分またはリップ部分２３１も備えている。図２０Ｅに示されるように、開口部またはアクセス路２３３が、望ましくは、ハウジング２２２の一面に沿って設けられている。
【００８９】
好ましくは、第二のエンドキャップ１０８は、側壁部２２８に配置された一対の上孔２３４ａおよび一対の下孔２３４ｂを備えている。図２０Ｄに最もよく示されるように、上孔２３４ａおよび下孔２３４ｂは、好ましくは、線２３６に沿って、垂直方向に並んで配置される。
【００９０】
第一の半体２２４は、望ましくは、単一の細長ピン２３８ａによって上溝部材１０４に取り付けられ、単一の細長ピン２３８ｂによって下溝部材１０６に取り付けられる。図９を参照されたい。細長ピン２３８ａ，２３８ｂは、それぞれ、少なくともハウジング２２２の幅にわたって延在し、上溝部材１０４および下溝部材１０６と係合する必要がある。ハウジング２２２の外部は、第二の半体２２６上に配置されるかまたは一体化される上フランジ２４０ａおよび下フランジ２４０ｂを有するフランジ部材２４０も備えているとよい。第一のエンドキャップ１０２の上フランジ１３８ａおよび下フランジ１３８ｂと同じように、上フランジ２４０ａおよび下フランジ２４０ｂは、互いに対して角度φ2で配置される。角度φ2は、角度φ1と同一であってもよいし、または異なっていてもよい。
【００９１】
第二のエンドキャップカバー２４２が、図２１Ａ〜図２１Ｄに示されている。図２１Ａの斜視図に示されるように、第二のエンドキャップカバー２４２は、好ましくは、単一の一体片として形成される。この一体片は、例えば、成形プラスチックでもよいし、または鋳造金属でもよい。図２１Ｂの上面図および図２１Ｃの背面図に示されるように、第二のエンドキャップカバー２４２は、望ましくは、中心細長リブ２４４と、この細長リブ２４４の両側に接続された一対のカバー２４６と、を備えている。細長リブ２４４は、好ましくは、凹凸状、湾曲状、または円弧状に形成される。カバー２４６は、好ましくは、第二のエンドキャップ１０８の両側面と嵌合するのに適するようにされる。図示されるように、カバー２４６は、実質的に平坦で、略三角形の形状を有している。一対のピン、突起部、または他の締付け部材２４８が、各カバー２４６の内面部分に配置されるとよい。
【００９２】
第二のエンドキャップ１０８と上溝部材１０４および下溝部材１０６が共に接続された後、第二のエンドキャップカバー２４２が取り付けられる。第二のエンドキャップカバー２４２は、第二のエンドキャップ１０８の側璧２２８の外面部分を覆うように構成され、これによって、第二のエンドキャップ１０８の外観を修正または向上させることができる。図８を参照されたい。第二のエンドキャップカバー２４２の細長リブ２４４は、好ましくは、第二のエンドキャップ１０８の両側において、上フランジ２４０ａと下フランジ２４０ｂとの間に嵌合される。締付け部材２４８の第一の対２４８ａが、上溝部材１０４の孔または開口部に接続される。締付け部材２４８の第二の対２４８ｂが、下溝部材１０６の孔または開口部に接続される。
【００９３】
細長リブ２４４の湾曲状、円弧状、または折り曲げ状に形成された突起部２５０は、好ましくは、第二のエンドキャップ１０８の両側の上フランジ２４０ａと下フランジ２４０ｂとの間の接合部に嵌合される。細長リブ２４４の延長部、折り曲げ部、または凹凸部２５２は、好ましくは、第二のエンドキャップ１０８から突出する。この延長部２５２を用いて、ケーブルの管理が行なわれる。具体的には、機器３０２のケーブルまたはコードは、延長部２５２と第二のエンドキャップ１０８との間に挿入可能である。
【００９４】
図２２Ａは、第二エンドキャップ１０８を伴う前腕アセンブリ２５４の分解図を示し、図２２Ｂは、前腕アセンブリ２５４のみの分解図を示している。図示されるように、前腕アセンブリ２５４は、望ましくは、前腕伸長部材１１０、ブッシュ２５６、ワッシャー２５８、およびネジまたはボルト２６０のような保持機構を備えている。第二のワッシャー２６２が用いられてもよい。ワッシャー２５８および前腕伸長部材１１０は、前腕伸長部材１１０が移動または調整されるときに生じる弛みを防ぐために、以下に述べるように特別に構成される。このことが必要であるのは、従来の伸長アームでは、前腕アームが作動すると、例えば、第二のエンドキャップを中心として回転すると、前腕伸長部材と第二のエンドキャップとの間の接続部が、弛む傾向にあるが、これは、特に、重いモニタまたはディスプレイを扱う場合、望ましくない危険が生じる可能性があるからである。
【００９５】
図２２Ｂに最もよく示されるように、前腕伸長部材１１０の底部は、好ましくは、シャフト２６４または他の接続装置を有するように構成される。シャフト２６４は、その底部に中心開口または差込口２６６を備えると共に、シャフト２６４の両側に１つまたは複数のノッチまたは凹部２６８を備えている。第二のワッシャー２６２を受入れるために、シャフト２６４を包囲する凹部または窪み２７０が、前腕伸長部材１１０の底部に設けられてもよい。
【００９６】
図２３Ａ〜図２３Ｄは、ワッシャー２５８をさらに詳細に示している。斜視図２３Ａおよび上面図２３Ｂに示されるように、ワッシャー２５８は、好ましくは、中心に貫通孔２７４を有する円形基部２７２を有している。図２３Ｃ〜図２３Ｄの側面図に示されるように、一対の突起部またはポスト２７６が、基部２７２の片側に配置されている。これらのポスト２７６は、シャフト２６４の凹部２６８に確実に嵌合するように構成されている。
【００９７】
図２４Ａ，図２４Ｂは、第二のエンドキャップ１０８と前腕アセンブリ２５４のアセンブリを示す断面図を示している。第二のエンドキャップ１０８を前腕伸長部材１１０に接続させる前に、ナイロンのようなプラスチック材料であるとよいブッシュ２５６が、開口またはアクセス路２３３を通して、第二のエンドキャップ１０８内に挿入される。ブッシュ２５６は、開口部２３２内に嵌合する寸法を有している。ワッシャー２６２が、エンドキャップ１０８の円形領域または突起部２３０の周囲に配置される。ボルト２６０が、ワッシャー２５８の貫通孔２７４内に挿入される。ワッシャー２５８およびボルト２６０は、ボルトの先端部が突起部２３０の開口部２３２内に突出するように、第二のエンドキャップ１０８のアクセス路２３３内に挿入されるとよい。ワッシャー２５８は、ポスト２７６がシャフト２６４の凹部２６８と嵌合するように、配置される。次いで、ボルト２６０が、差込孔２６６とねじ係合される。図２４Ｂに示されるように、ブッシュ２５６は、一端のワッシャー２５８と他端のリップ部分２３１との間に保持される。ボルト２６０が締め付けられると、ワッシャー２５８は、ブッシュ２５６を前腕伸長部材１１０のシャフト２６４の周囲に押し付ける。ポスト２７６は、調整中にワッシャー２５８が移動することを防止している。従って、前腕伸長部材１１０は、第二のエンドキャップ１０８に対して回転することができ、ワッシャー２５８およびシャフト２６４の特別の構成によって、前腕伸長部材１１０と第二のエンドキャップ１０８との間の接続の弛みを防止することができる。
【００９８】
図２４Ｂは、第二のエンドキャップ１０８に接続された前腕アセンブリ２５４を示す部分断面図である。前腕アセンブリ２５４が第二のエンドキャップ１０８に取り付けられた後、第二のエンドキャップカバー２４２が、前述したように、接続されるとよい。
【００９９】
図２５は、前腕伸長部材１１０の上端部および本発明と関連して用いられるとよい例示的なチルト装置３００の分解図を示している。このチルト装置は、同時係属中の「電子機器用の簡易脱着アセンブリ」という表題で２００５年２月１６日に出願された米国特許出願第１１／０５８，８２０号明細書、または同時係属中の「付勢アセンブリを有する電子機器用のチルタ装置」という表題で２００３年６月１３日に出願された米国特許出願第１０／４６１，６３７号明細書に開示されているチルト装置と同じであってもよい。これらの開示内容は、参照することによって、それらの全体がここに含まれるものとする。代替的に、前述したように、チルト装置３００は、米国特許第６，５０５，９８８号明細書に図示され、かつ記述されている装置の１つであってもよい。
【０１００】
図２５に示されるように、例示的なチルト装置３００は、チルタヘッド３０４、チルタ取付具３０６、アダプターユニット３０８、およびチルタ取付具３０６をチルタヘッド３０４に接続するチルタバー３１０を備えている。アダプターユニット３０８は、電子機器３０２をチルト装置３００に連結する。ワッシャー３１２、リベット３１４、および締付け具３１６は、チルト装置３００の一部でもよい。チルト装置３００の構成は、本発明にとって不可欠ではないが、具体的な詳細および具体的な例に関して、前述の米国特許出願および米国特許第６，５０５，９８８号を参照するとよい。いずれにせよ、チルト装置３００は、ネジまたはボルト３１８を用いて前腕伸長部材１１０に接続されるとよい。
【０１０１】
代替的に、第二のエンドキャップ１０８への前腕伸長部材１１０の接続に関して前述した特別のワッシャー構成が用いられてもよい。具体的には、図２５Ｂに示されるように、チルタヘッド３０４のシャフト３４０は、その底部に開口部または差込口２６６のような差込口３４２を備えると共に、シャフトの両側に一対のノッチまたは凹部２６８のような凹部３４４を備えているとよい。ブッシュ２５６、ワッシャー２５８、およびネジまたはボルト２６０のような保持機構が用いられてもよく、第二のワッシャー２６２が用いられてもよい。この場合、チルト装置３００は、好ましくは、前腕伸長部材１１０が第二のエンドキャップ１０８に接続されるのと同じように、前腕伸長部材１１０に接続される。しかし、チルト装置３００は、第二のエンドキャップ１０８に直接接続されてもよい。さらに、対弛み接続部が、伸長アーム１００の他の位置、例えば、シャフト１２８と取付けアセンブリ４００との間の接続部に用いられてもよいことを理解されたい。
【０１０２】
図２６Ａは、完全に組み立てられた伸長アーム１００、チルト装置３００、モニタ３０２、および取付け装置４００の上面図を示している。図２６Ｂは、図２６Ａの線Ａ−Ａに沿ったシステムの断面図を示している。図２６Ａの真直ぐな位置に示されるように、上溝部材１０４および下溝部材１０６の幅の漸減は、好ましくは、前腕伸長部材１１０の幅の漸減に連続するように形成されている。これによって、均一に突出する外観が、伸長アーム１００に与えられる。さらに、上溝部材１０４および下溝部材１０６に関して前述したように、前腕伸長部材１１０の下端の幅を大きくすることによって、捩じれ強度を高めることができる。上溝部材１０４の側壁部１７８の内面部分と下溝部材１０６の側壁部２０８の外面部分との間の相対的な間隙によって、ガスピストン１１２が圧縮されるときでも、または圧縮されないときでも、この均一に突出する外観が維持される。
【０１０３】
図２７Ａ〜図２７Ｆは、ユーザが選択的に調整することができる種々の位置にある伸長アーム１００を示している。ここでは、種々の調整位置にあるクレビス１４６が示されているが、クレビス１４６1またはクレビス１４６2が用いられてもよい。図２８Ａ〜図２８Ｆに関して前述したように、本発明のクレビスおよびアセンブリは、従来の装置におけるよりも大きい可動範囲を伸長アームに与えることができる。また、特に上方傾斜クレビス１４６1および下方傾斜クレビス１４６2の場合、所定のスプリングによって、より重いユーザ機器３０２を支持することができる。前腕伸長部材１１０は、これらの図から省略されている。何故なら、チルト装置３００は、伸長アーム１００の第二のエンドキャップ１０８に直接接続されてもよいからである。図２７Ａ，図２７Ｂに示されるように、上溝部材１０４および下溝部材１０６を十分に伸長した持ち上げ位置に配置することができる。図２７Ａに示されるように、クレビス１４６がハウジング１１４の上端まで完全に持上げられると、ガススプリング１１２は、実質的にまたは完全に下溝部材１０６内に保持される。しかし、図２７Ｂに示されるように、クレビス１４６がハウジング１１４の底部まで完全に下げられると、ガススプリング１１２は、下溝部材１０６の開口領域２１６を部分的に通過することとなる。
【０１０４】
図２７Ｃ，図２７Ｄに示されるように、上溝部材１０４および下溝部材１０６を水平位置に保持することができる。図２７Ｃに示されるように、クレビス１４６がハウジング１１４の上端にまで完全に持上げられると、ガススプリング１１２は、下溝部材１０６の開領域１１２を部分的に通過することとなる。しかし、図２７Ｄに示されるように、クレビス１４６がハウジング１１４の底部まで完全に下げられると、ガススプリング１１２の底端は、下溝部材１０６の開口領域２１６を実質的にまたは完全に通過することとなる。
【０１０５】
図２７Ｅ，図２７Ｆに示されるように、上溝部材１０４および下溝部材１０６を完全に延びた下方位置に配置することができる。図２７Ｅに示されるように、クレビス１４６がハウジング１１４の上端まで完全に持上げられると、ガススプリング１１２は、下溝部材１０６の開領域２１６をわずかに通過することとなる。しかし、図２７Ｆに示されるように、クレビス１４６がハウジング１１４の底部まで完全に下げられると、ガススプリング１１２の底端は、下溝部材１０６の開口領域２１６をさらに大きく通過することとなる。
【０１０６】
図２９Ａ〜図２９Ｆは、上溝部材１０４および下溝部材１０６と前腕伸長部材１１０とのいくつかの配置例を示す、前腕伸長部材１１０を備える伸長アーム１００の図である。図２９Ａ，図２９Ｂは、完全に伸長した上方位置にある上溝部材１０４および下溝部材１０６と前腕伸長部材１１０とを示している。図２９Ａに示されるように、ケーブルの管理を行なうために、第二のエンドキャップ１０８から突出する延長部２５２に加えて、第二の延長部２７８が取付けカップ４０４に配置されるとよい。図２９Ｃ，図２９Ｄは、前腕伸長部材１１０が上方位置に配置された状態において下方位置にある上溝部材１０４および下溝部材１０６を示している。図２９Ｅ，図２９Ｆは、前腕伸長部材１１０が上溝部材１０４の上方に配置された折畳み位置にある伸長アーム１００を示している。もちろん、伸長アーム１００の種々の部品をいかに配置させるかについて、ほぼ無制限の可能性があること、およびこれらの図は、ユーザが選択し得るわずかな位置の単なる例示に過ぎないこと、を理解されたい。
【０１０７】
本発明の態様による新規のクレビスアセンブリは、性能を犠牲にすることなく、より小さいガススプリングを用いることを可能にする。伸長アームを小形にすることができるのみならず、性能および融通性を著しく大きくすることができる。ワッシャーとシャフトとを連結させる構成によって、回転部品間の接続の弛みを防止し、伸長アームを種々の位置で利用することができる。加えて、幅が漸減した溝部材および伸長片によって、重量のある嵩張ったディスプレイおよび他の機器を取扱うのに十分な剛性を有する滑らかな小形の設計が得られる。
【０１０８】
本発明を特定の実施形態を参照して説明したが、これらの実施形態が本発明の原理および用途の単なる例示にすぎないことを理解されたい。従って、例示的な実施形態に対して多くの修正がなされること、および特許請求の範囲に記載される本発明の精神および範囲から逸脱することなく、他の構成がなされ得ること、を理解されたい。一例として、前述した種々の実施形態は、特定の特徴部を例示しているが、これらの種々の実施形態における異なる特徴部を組合せるかまたは置き換えることによって、他の変更例を得ることも本発明の範囲内に含まれる。すなわち、実施形態のいずれかにおける特徴部のいずれかが、他の実施形態のいずれかにおける他のいずれの特徴部と組み合わされてもよく、または置き換えられてもよい。
【産業上の利用可能性】
【０１０９】
本発明は、広い産業上の利用可能性、例えば、制限はされないが、ビデオモニタ用伸長アームおよびスタンドのようなコンピュータ周辺機器に適用される。
【図面の簡単な説明】
【０１１０】
【図１】コンピュータモニタを取付ける従来の伸長アームの組立図である。
【図２】図１に示される伸長アームの第一のエンドキャップを示す図である。
【図３】図１に示される伸長アームのクレビスアセンブリを示す図である。
【図４Ａ】従来の伸長アームの上溝部材を示す図である。
【図４Ｂ】従来の伸長アームの上溝部材を示す図である。
【図４Ｃ】従来の伸長アームの上溝部材を示す図である。
【図４Ｄ】従来の伸長アームの上溝部材を示す図である。
【図５Ａ】従来の伸長アームの下溝部材を示す図である。
【図５Ｂ】従来の伸長アームの下溝部材を示す図である。
【図６】従来の伸長アームの第二のエンドキャップを示す図である。
【図７Ａ】従来の伸長アームの前腕伸長部材を示す図である。
【図７Ｂ】従来の伸長アームの前腕伸長部材を示す図である。
【図８】本発明の好ましい実施形態による組み立てられた伸長アームを示す図である。
【図９】図８の伸長アームの分解図である。
【図１０Ａ】本発明の態様によるエンドキャップの好ましい実施形態を示す図である。
【図１０Ｂ】本発明の態様によるエンドキャップの好ましい実施形態を示す図である。
【図１０Ｃ】本発明の態様によるエンドキャップの好ましい実施形態を示す図である。
【図１０Ｄ】本発明の態様によるエンドキャップの好ましい実施形態を示す図である。
【図１０Ｅ】本発明の態様によるエンドキャップの好ましい実施形態を示す図である。
【図１０Ｆ】本発明の態様によるエンドキャップの好ましい実施形態を示す図である。
【図１１Ａ】本発明の態様による締付け具を示す図である。
【図１１Ｂ】本発明の態様による締付け具を示す図である。
【図１１Ｃ】本発明の態様による締付け具を示す図である。
【図１２Ａ】本発明の態様によるクレビスの好ましい実施形態を示す図である。
【図１２Ｂ】本発明の態様によるクレビスの好ましい実施形態を示す図である。
【図１２Ｃ】本発明の態様によるクレビスの好ましい実施形態を示す図である。
【図１２Ｄ】本発明の態様によるクレビスの好ましい実施形態を示す図である。
【図１２Ｅ】本発明の態様によるクレビスの好ましい実施形態を示す図である。
【図１２Ｆ】本発明の態様によるクレビスの好ましい実施形態を示す図である。
【図１２Ｇ】本発明の態様によるクレビスの好ましい実施形態を示す図である。
【図１２Ｈ】本発明の態様によるクレビスの好ましい実施形態を示す図である。
【図１２Ｉ】本発明の態様によるクレビスの好ましい実施形態を示す図である。
【図１２Ｊ】本発明の態様によるクレビスの好ましい実施形態を示す図である。
【図１２Ｋ】本発明の態様によるクレビスの好ましい実施形態を示す図である。
【図１２Ｌ】本発明の態様によるクレビスの好ましい実施形態を示す図である。
【図１２Ｍ】本発明の態様によるクレビスの好ましい実施形態を示す図である。
【図１２Ｎ】本発明の態様によるクレビスの好ましい実施形態を示す図である。
【図１２Ｏ】本発明の態様によるクレビスの好ましい実施形態を示す図である。
【図１２Ｐ】本発明の態様によるクレビスの好ましい実施形態を示す図である。
【図１３Ａ】本発明の態様による保持板を示す図である。
【図１３Ｂ】本発明の態様による保持板を示す図である。
【図１３Ｃ】本発明の態様による保持板を示す図である。
【図１３Ｄ】本発明の態様による保持板を示す図である。
【図１３Ｅ】本発明の態様による保持板を示す図である。
【図１４Ａ】本発明の好ましい実施形態によるクレビスアセンブリの分解図である。
【図１４Ｂ】本発明の好ましい実施形態によるクレビスアセンブリの分解図である。
【図１４Ｃ】本発明の好ましい実施形態によるクレビスアセンブリの分解図である。
【図１４Ｄ】本発明の好ましい実施形態によるクレビスアセンブリの分解図である。
【図１５Ａ】本発明の態様によるエンドキャップカバーを示す図である。
【図１５Ｂ】本発明の態様によるエンドキャップカバーを示す図である。
【図１５Ｃ】本発明の態様によるエンドキャップカバーを示す図である。
【図１５Ｄ】本発明の態様によるエンドキャップカバーを示す図である。
【図１６Ａ】本発明の好ましい実施形態によるエンドキャップとクレビスの組立を示す図である。
【図１６Ｂ】本発明の好ましい実施形態によるエンドキャップとクレビスの組立を示す図である。
【図１６Ｃ】本発明の好ましい実施形態によるエンドキャップとクレビスの組立を示す図である。
【図１６Ｄ】本発明の好ましい実施形態によるエンドキャップとクレビスの組立を示す図である。
【図１６Ｅ】本発明の好ましい実施形態によるエンドキャップとクレビスの組立を示す図である。
【図１６Ｆ】本発明の好ましい実施形態によるエンドキャップとクレビスの組立を示す図である。
【図１６Ｇ】本発明の好ましい実施形態によるエンドキャップとクレビスの組立を示す図である。
【図１６Ｈ】本発明の好ましい実施形態によるエンドキャップとクレビスの組立を示す図である。
【図１７Ａ】本発明の好ましい実施形態による上溝部材を示す図である。
【図１７Ｂ】本発明の好ましい実施形態による上溝部材を示す図である。
【図１７Ｃ】本発明の好ましい実施形態による上溝部材を示す図である。
【図１７Ｄ】本発明の好ましい実施形態による上溝部材を示す図である。
【図１７Ｅ】本発明の好ましい実施形態による上溝部材を示す図である。
【図１７Ｆ】本発明の好ましい実施形態による上溝部材を示す図である。
【図１８Ａ】図１７Ａ〜図１７Ｆの上溝部材と共に用いられるカバー装置を示す図である。
【図１８Ｂ】図１７Ａ〜図１７Ｆの上溝部材と共に用いられるカバー装置を示す図である。
【図１８Ｃ】図１７Ａ〜図１７Ｆの上溝部材と共に用いられるカバー装置を示す図である。
【図１８Ｄ】図１７Ａ〜図１７Ｆの上溝部材と共に用いられるカバー装置を示す図である。
【図１８Ｅ】図１７Ａ〜図１７Ｆの上溝部材と共に用いられるカバー装置を示す図である。
【図１８Ｆ】図１７Ａ〜図１７Ｆの上溝部材と共に用いられるカバー装置を示す図である。
【図１９Ａ】本発明の好ましい実施形態による下溝部材を示す図である。
【図１９Ｂ】本発明の好ましい実施形態による下溝部材を示す図である。
【図１９Ｃ】本発明の好ましい実施形態による下溝部材を示す図である。
【図１９Ｄ】本発明の好ましい実施形態による下溝部材を示す図である。
【図１９Ｅ】本発明の好ましい実施形態による下溝部材を示す図である。
【図２０Ａ】本発明の好ましい実施形態によるエンドキャップを示す図である。
【図２０Ｂ】本発明の好ましい実施形態によるエンドキャップを示す図である。
【図２０Ｃ】本発明の好ましい実施形態によるエンドキャップを示す図である。
【図２０Ｄ】本発明の好ましい実施形態によるエンドキャップを示す図である。
【図２０Ｅ】本発明の好ましい実施形態によるエンドキャップを示す図である。
【図２０Ｆ】本発明の好ましい実施形態によるエンドキャップを示す図である。
【図２１Ａ】本発明の態様によるエンドキャップカバーを示す図である。
【図２１Ｂ】本発明の態様によるエンドキャップカバーを示す図である。
【図２１Ｃ】本発明の態様によるエンドキャップカバーを示す図である。
【図２１Ｄ】本発明の態様によるエンドキャップカバーを示す図である。
【図２２Ａ】本発明の好ましい実施形態による前腕アセンブリの分解図である。
【図２２Ｂ】本発明の好ましい実施形態による前腕アセンブリの分解図である。
【図２３Ａ】本発明の態様によるワッシャーの好ましい実施形態を示す図である。
【図２３Ｂ】本発明の態様によるワッシャーの好ましい実施形態を示す図である。
【図２３Ｃ】本発明の態様によるワッシャーの好ましい実施形態を示す図である。
【図２３Ｄ】本発明の態様によるワッシャーの好ましい実施形態を示す図である。
【図２４Ａ】本発明の好ましい実施形態によるエンドキャップに接続された図２２Ａ，２２Ｂの前腕アセンブリを示す図である。
【図２４Ｂ】本発明の好ましい実施形態によるエンドキャップに接続された図２２Ａ，２２Ｂの前腕アセンブリを示す図である。
【図２５Ａ】本発明と共に用いられるチルト装置の分解図である。
【図２５Ｂ】本発明と共に用いられるチルト装置の分解図である。
【図２６Ａ】本発明の態様によるディスプレイに接続された伸長アームを示す図である。
【図２６Ｂ】本発明の態様によるディスプレイに接続された伸長アームを示す図である。
【図２７Ａ】本発明の態様による伸長アームの調整を示す図である。
【図２７Ｂ】本発明の態様による伸長アームの調整を示す図である。
【図２７Ｃ】本発明の態様による伸長アームの調整を示す図である。
【図２７Ｄ】本発明の態様による伸長アームの調整を示す図である。
【図２７Ｅ】本発明の態様による伸長アームの調整を示す図である。
【図２７Ｆ】本発明の態様による伸長アームの調整を示す図である。
【図２８Ａ】本発明の付加的な態様による伸長アームの調整を示す図である。
【図２８Ｂ】本発明の付加的な態様による伸長アームの調整を示す図である。
【図２８Ｃ】本発明の付加的な態様による伸長アームの調整を示す図である。
【図２８Ｄ】本発明の付加的な態様による伸長アームの調整を示す図である。
【図２８Ｅ】本発明の付加的な態様による伸長アームの調整を示す図である。
【図２８Ｆ】本発明の付加的な態様による伸長アームの調整を示す図である。
【図２９Ａ】本発明の態様による伸長アームの選択された位置決めを示す図である。
【図２９Ｂ】本発明の態様による伸長アームの選択された位置決めを示す図である。
【図２９Ｃ】本発明の態様による伸長アームの選択された位置決めを示す図である。
【図２９Ｄ】本発明の態様による伸長アームの選択された位置決めを示す図である。
【図２９Ｅ】本発明の態様による伸長アームの選択された位置決めを示す図である。
【図２９Ｆ】本発明の態様による伸長アームの選択された位置決めを示す図である。
【図１】
2008542654.tif 000003
【図２】
2008542654.tif 000004
【図３】
2008542654.tif 000005
【図４Ａ】
2008542654.tif 000006
【図４Ｂ】
2008542654.tif 000007
【図４Ｃ】
2008542654.tif 000008
【図４Ｄ】
2008542654.tif 000009
【図５Ａ】
2008542654.tif 000010
【図５Ｂ】
2008542654.tif 000011
【図６】
2008542654.tif 000012
【図７Ａ】
2008542654.tif 000013
【図７Ｂ】
2008542654.tif 000014
【図８】
2008542654.tif 000015
【図９】
2008542654.tif 000016
【図１０Ａ】
2008542654.tif 000017
【図１０Ｂ】
2008542654.tif 000018
【図１０Ｃ】
2008542654.tif 000019
【図１０Ｄ】
2008542654.tif 000020
【図１０Ｅ】
2008542654.tif 000021
【図１０Ｆ】
2008542654.tif 000022
【図１１Ａ】
2008542654.tif 000023
【図１１Ｂ】
2008542654.tif 000024
【図１１Ｃ】
2008542654.tif 000025
【図１２Ａ】
2008542654.tif 000026
【図１２Ｂ】
2008542654.tif 000027
【図１２Ｃ】
2008542654.tif 000028
【図１２Ｄ】
2008542654.tif 000029
【図１２Ｅ】
2008542654.tif 000030
【図１２Ｆ】
2008542654.tif 000031
【図１２Ｇ】
2008542654.tif 000032
【図１２Ｈ】
2008542654.tif 000033
【図１２Ｉ】
2008542654.tif 000034
【図１２Ｊ】
2008542654.tif 000035
【図１２Ｋ】
2008542654.tif 000036
【図１２Ｌ】
2008542654.tif 000037
【図１２Ｍ】
2008542654.tif 000038
【図１２Ｎ】
2008542654.tif 000039
【図１２Ｏ】
2008542654.tif 000040
【図１２Ｐ】
2008542654.tif 000041
【図１３Ａ】
2008542654.tif 000042
【図１３Ｂ】
2008542654.tif 000043
【図１３Ｃ】
2008542654.tif 000044
【図１３Ｄ】
2008542654.tif 000045
【図１３Ｅ】
2008542654.tif 000046
【図１４Ａ】
2008542654.tif 000047
【図１４Ｂ】
2008542654.tif 000048
【図１４Ｃ】
2008542654.tif 000049
【図１４Ｄ】
2008542654.tif 000050
【図１５Ａ】
2008542654.tif 000051
【図１５Ｂ】
2008542654.tif 000052
【図１５Ｃ】
2008542654.tif 000053
【図１５Ｄ】
2008542654.tif 000054
【図１６Ａ】
2008542654.tif 000055
【図１６Ｂ】
2008542654.tif 000056
【図１６Ｃ】
2008542654.tif 000057
【図１６Ｄ】
2008542654.tif 000058
【図１６Ｅ】
2008542654.tif 000059
【図１６Ｆ】
2008542654.tif 000060
【図１６Ｇ】
2008542654.tif 000061
【図１６Ｈ】
2008542654.tif 000062
【図１７Ａ】
2008542654.tif 000063
【図１７Ｂ】
2008542654.tif 000064
【図１７Ｃ】
2008542654.tif 000065
【図１７Ｄ】
2008542654.tif 000066
【図１７Ｅ】
2008542654.tif 000067
【図１７Ｆ】
2008542654.tif 000068
【図１８Ａ】
2008542654.tif 000069
【図１８Ｂ】
2008542654.tif 000070
【図１８Ｃ】
2008542654.tif 000071
【図１８Ｄ】
2008542654.tif 000072
【図１８Ｅ】
2008542654.tif 000073
【図１９Ａ】
2008542654.tif 000074
【図１９Ｂ】
2008542654.tif 000075
【図１９Ｃ】
2008542654.tif 000076
【図１９Ｄ】
2008542654.tif 000077
【図１９Ｅ】
2008542654.tif 000078
【図２０Ａ】
2008542654.tif 000079
【図２０Ｂ】
2008542654.tif 000080
【図２０Ｃ】
2008542654.tif 000081
【図２０Ｄ】
2008542654.tif 000082
【図２０Ｅ】
2008542654.tif 000083
【図２０Ｆ】
2008542654.tif 000084
【図２１Ａ】
2008542654.tif 000085
【図２１Ｂ】
2008542654.tif 000086
【図２１Ｃ】
2008542654.tif 000087
【図２１Ｄ】
2008542654.tif 000088
【図２２Ａ】
2008542654.tif 000089
【図２２Ｂ】
2008542654.tif 000090
【図２３Ａ】
2008542654.tif 000091
【図２３Ｂ】
2008542654.tif 000092
【図２３Ｃ】
2008542654.tif 000093
【図２３Ｄ】
2008542654.tif 000094
【図２４Ａ】
2008542654.tif 000095
【図２４Ｂ】
2008542654.tif 000096
【図２５Ａ】
2008542654.tif 000097
【図２５Ｂ】
2008542654.tif 000098
【図２６Ａ】
2008542654.tif 000099
【図２６Ｂ】
2008542654.tif 000100
【図２７Ａ】
2008542654.tif 000101
【図２７Ｂ】
2008542654.tif 000102
【図２７Ｃ】
2008542654.tif 000103
【図２７Ｄ】
2008542654.tif 000104
【図２７Ｅ】
2008542654.tif 000105
【図２７Ｆ】
2008542654.tif 000106
【図２８Ａ】
2008542654.tif 000107
【図２８Ｂ】
2008542654.tif 000108
【図２８Ｃ】
2008542654.tif 000109
【図２８Ｄ】
2008542654.tif 000110
【図２８Ｅ】
2008542654.tif 000111
【図２８Ｆ】
2008542654.tif 000112
【図２９Ａ】
2008542654.tif 000113
【図２９Ｂ】
2008542654.tif 000114
【図２９Ｃ】
2008542654.tif 000115
【図２９Ｄ】
2008542654.tif 000116
【図２９Ｅ】
2008542654.tif 000117
【図２９Ｆ】
2008542654.tif 000118
【国際調査報告】
2008542654.tif 000119
2008542654.tif 000120
2008542654.tif 000121
2008542654.tif 000122
2008542654.tif 000123